(57)【要約】本出願の方法は、端末によって、第１の初期送信電力および第２の初期送信電力を決定するステップと、第１のキャリアによって搬送されるチャネルのものであり、アクセスネットワークデバイスによって送信される最小保証電力情報を受信するステップと、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を取得するステップとを含む。
2019536351.tif 000002
【特許請求の範囲】
【請求項１】
電力割振り方法であって、
端末によって、第１の初期送信電力および第２の初期送信電力を決定するステップであって、前記第１の初期送信電力は、Ｍ個の第１のサブフレームの各々において送信され、第１のキャリアによって搬送されるチャネルの初期送信電力を備え、前記第２の初期送信電力は、第２のサブフレームにおいて送信され、第２のキャリアによって搬送されるチャネルの初期送信電力である、ステップと、
前記端末によって、前記第１のキャリアによって搬送されるチャネルのものであり、アクセスネットワークデバイスによって送信される最小保証電力情報を受信するステップと、
前記第１の初期送信電力のいずれかおよび前記第２の初期送信電力の合計が前記端末の最大送信電力よりも大きいとき、前記端末によって、Ｎ個の第１のサブフレームにおいて送信され、前記第１のキャリアによって搬送されるチャネルのための利用可能な送信電力、および前記第２のサブフレームにおいて送信され、前記第２のキャリアによって搬送される前記チャネルの利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するステップであって、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、ステップと
を備える方法。
【請求項２】
前記端末によって、Ｎ個の第１のサブフレームにおいて送信され、前記第１のキャリアによって搬送されるチャネルのための利用可能な送信電力、および前記第２のサブフレームにおいて送信され、前記第２のキャリアによって搬送される前記チャネルの利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得する前記ステップは、
前記端末によって、前記第１のキャリアによって搬送される前記チャネルの前記最小保証電力情報に基づいて最小保証電力を取得するステップと、
前記端末によって、前記Ｎ個の第１のサブフレームにおいて送信され、前記第１のキャリアによって搬送される前記チャネルのための第１の利用可能な送信電力、および前記第２のサブフレームにおいて送信され、前記第２のキャリアによって搬送される前記チャネルの第２の利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位に基づいて取得するステップと、
前記端末によって、前記最小保証電力と前記第１の利用可能な送信電力および前記第２の利用可能な送信電力のうちの少なくとも１つとに基づいて、前記Ｎ個の第１のサブフレームにおいて送信され、前記第１のキャリアによって搬送される前記チャネルのための前記利用可能な送信電力、および前記第２のサブフレームにおいて送信され、前記第２のキャリアによって搬送される前記チャネルの前記利用可能な送信電力のうちの少なくとも１つを決定するステップと
を備える請求項１に記載の方法。
【請求項３】
前記端末によって、前記Ｎ個の第１のサブフレームにおいて送信され、前記第１のキャリアによって搬送される前記チャネルのための第１の利用可能な送信電力、および前記第２のサブフレームにおいて送信され、前記第２のキャリアによって搬送される前記チャネルの第２の利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位に基づいて取得する前記ステップは、
前記優先順位に基づいて前記第１の初期送信電力および前記第２の初期送信電力を低減して、前記Ｎ個の第１のサブフレームにおいて送信され、前記第１のキャリアによって搬送される前記チャネルのための前記第１の利用可能な送信電力、および前記第２のサブフレームにおいて送信され、前記第２のキャリアによって搬送される前記チャネルの前記第２の利用可能な送信電力をそれぞれ取得するステップであって、前記Ｎ個の第１のサブフレームの各々において送信され、前記第１のキャリアによって搬送される前記チャネルの前記第１の利用可能な送信電力、および前記第２のサブフレームにおいて送信され、前記第２のキャリアによって搬送される前記チャネルの前記第２の利用可能な送信電力の合計は、前記最大送信電力以下である、ステップ
を備える請求項２に記載の方法。
【請求項４】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、およびチャネルに対応するキャリア間の優先順位のうちの少なくとも１つを備える請求項１乃至３のいずれか一項に記載の方法。
【請求項５】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、アップリンク制御情報ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびサウンディング基準信号ＳＲＳが共存するとき、前記ＳＲＳは最も低い優先度を有する、
のうちの少なくとも１つを備える請求項４に記載の方法。
【請求項６】
前記方法は、
前記端末によって、前記第１のキャリアまたは前記第２のキャリア上で前記アクセスネットワークデバイスによって送信された上位レイヤシグナリングまたは物理レイヤシグナリングを受信するステップであって、前記上位レイヤシグナリングまたは前記物理レイヤシグナリングは、優先順位ルールを備え、前記優先順位ルールは、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位を決定するために使用される、ステップ
をさらに備える請求項１乃至３のいずれか一項に記載の方法。
【請求項７】
前記端末によって、前記第１のキャリアによって搬送されるチャネルのものであり、アクセスネットワークデバイスによって送信される最小保証電力情報を受信する前記ステップは、
前記端末によって、前記第１のキャリアまたは前記第２のキャリア上で前記アクセスネットワークデバイスによって送信された第１のシグナリングを受信するステップであって、前記第１のシグナリングは、前記第１のキャリアによって搬送される前記チャネルの前記最小保証電力情報を搬送する上位レイヤシグナリングまたは物理レイヤシグナリングである、ステップ
を備える請求項１乃至３のいずれか一項に記載の方法。
【請求項８】
前記第１のキャリア上で送信される前記第１のシグナリングの送信サブフレームは、前記第２のキャリア上で送信される第２のシグナリングの送信サブフレームと重複し、前記第２のシグナリングは、前記第２のサブフレームにおいて前記第２のキャリアによって搬送される前記チャネルの電力割振り情報を搬送する請求項７に記載の方法。
【請求項９】
電力調整方法であって、
端末によって、アクセスネットワークデバイスによって送信された電力調整ファクタを受信するステップと、
前記端末によって、前記電力調整ファクタおよびサブフレームの第１の部分におけるチャネルの利用可能な送信電力に基づいて前記サブフレームの第２の部分におけるチャネルの利用可能な送信電力を取得するステップであって、前記サブフレームは前記第１の部分および前記第２の部分を備え、前記第２の部分は前記第１の部分の後に続き、前記電力調整ファクタは、前記サブフレームの前記第１の部分における前記チャネルの前記利用可能な送信電力と前記サブフレームの前記第２の部分における前記チャネルの前記利用可能な送信電力との間のオフセット値を決定するために使用される、ステップと
を備える方法。
【請求項１０】
端末によって、アクセスネットワークデバイスによって送信された電力調整ファクタを受信する前記ステップは、
前記端末によって、上位レイヤシグナリングまたは物理レイヤシグナリングを使用することによって、前記アクセスネットワークデバイスによって送信された前記電力調整ファクタを受信するステップ
を備える請求項９に記載の方法。
【請求項１１】
前記電力調整ファクタはセル固有パラメータである請求項９または１０に記載の方法。
【請求項１２】
電力割振り方法であって、
アクセスネットワークデバイスによって、第１のキャリアによって搬送されるチャネルの最小保証電力情報を決定するステップと、
前記アクセスネットワークデバイスによって、前記第１のキャリアによって搬送される前記チャネルの前記最小保証電力情報を端末に送信するステップであって、前記最小保証電力情報は、第１の初期送信電力のいずれかおよび第２の初期送信電力の合計が前記端末の最大送信電力よりも大きいとき、Ｎ個の第１のサブフレームにおいて送信され、前記第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、前記第１のキャリアによって搬送されるチャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するために前記端末によって使用され、前記第１の初期送信電力は、前記Ｍ個の第１のサブフレームの各々において送信され、前記第１のキャリアによって搬送される前記チャネルの初期送信電力を備え、前記第２の初期送信電力は、前記第２のサブフレームにおいて送信され、前記第２のキャリアによって搬送される前記チャネルの初期送信電力であり、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、ステップと
を備える方法。
【請求項１３】
前記アクセスネットワークデバイスによって、前記第１のキャリアによって搬送される前記チャネルの最小保証電力情報を端末に送信する前記ステップは、
前記アクセスネットワークデバイスによって、前記第１のキャリアまたは前記第２のキャリア上で上位レイヤシグナリングまたは物理レイヤシグナリングを前記端末に送信するステップであって、前記上位レイヤシグナリングまたは前記物理レイヤシグナリングは、前記第１のキャリアによって搬送される前記チャネルの前記最小保証電力情報を備える、ステップ
を備える請求項１２に記載の方法。
【請求項１４】
前記第１のキャリア上で送信される第１のシグナリングの送信サブフレームは、前記第２のキャリア上で送信される第２のシグナリングの送信サブフレームと重複し、前記第２のシグナリングは、前記第２のサブフレームにおいて前記第２のキャリアによって搬送される前記チャネルの電力割振り情報を搬送する請求項１３に記載の方法。
【請求項１５】
前記方法は、
前記アクセスネットワークデバイスによって、前記第１のキャリアまたは前記第２のキャリア上で前記上位レイヤシグナリングまたは前記物理レイヤシグナリングを前記端末に送信するステップであって、前記上位レイヤシグナリングまたは前記物理レイヤシグナリングは、優先順位ルールを備え、前記優先順位ルールは、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位を決定するために使用される、ステップ
をさらに備える請求項１２乃至１４のいずれか一項に記載の方法。
【請求項１６】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、およびチャネルに対応するキャリア間の優先順位のうちの少なくとも１つを備える請求項１５に記載の方法。
【請求項１７】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびＳＲＳが共存するとき、前記ＳＲＳは最も低い優先度を有する、
のうちの少なくとも１つを備える請求項１６に記載の方法。
【請求項１８】
電力調整方法であって、
アクセスネットワークデバイスによって、電力調整ファクタを決定するステップと、
前記アクセスネットワークデバイスによって、前記電力調整ファクタを端末に送信するステップであって、前記電力調整ファクタは、前記電力調整ファクタおよびサブフレームの第１の部分におけるチャネルの利用可能な送信電力に基づいて前記サブフレームの第２の部分におけるチャネルの利用可能な送信電力を取得するために前記端末によって使用され、前記サブフレームは前記第１の部分および前記第２の部分を備え、前記第２の部分は前記第１の部分の後に続き、前記電力調整ファクタは、前記サブフレームの前記第１の部分における前記チャネルの前記利用可能な送信電力と前記サブフレームの前記第２の部分における前記チャネルの前記利用可能な送信電力との間のオフセット値を決定するために使用される、ステップと
を備える方法。
【請求項１９】
前記アクセスネットワークデバイスによって、前記電力調整ファクタを端末に送信する前記ステップは、
前記アクセスネットワークデバイスによって、上位レイヤシグナリングまたは物理レイヤシグナリングを使用することによって、前記電力調整ファクタを前記端末に送信するステップ
を備える請求項１８に記載の方法。
【請求項２０】
前記電力調整ファクタはセル固有パラメータである請求項１８または１９に記載の方法。
【請求項２１】
端末であって、
第１の初期送信電力および第２の初期送信電力を決定するように構成された決定ユニットであって、前記第１の初期送信電力は、Ｍ個の第１のサブフレームの各々において送信され、第１のキャリアによって搬送されるチャネルの初期送信電力を備え、前記第２の初期送信電力は、第２のサブフレームにおいて送信され、第２のキャリアによって搬送されるチャネルの初期送信電力である、決定ユニットと、
前記第１のキャリアによって搬送されるチャネルのものであり、アクセスネットワークデバイスによって送信される最小保証電力情報を受信するように構成された受信ユニットと、
前記第１の初期送信電力のいずれかおよび前記第２の初期送信電力の合計が前記端末の最大送信電力よりも大きいとき、Ｎ個の第１のサブフレームにおいて送信され、前記第１のキャリアによって搬送されるチャネルのための利用可能な送信電力、および前記第２のサブフレームにおいて送信され、前記第２のキャリアによって搬送される前記チャネルの利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するように構成された処理ユニットであって、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、処理ユニットと
を備える端末。
【請求項２２】
前記処理ユニットは、
前記第１のキャリアによって搬送される前記チャネルの前記最小保証電力情報に基づいて最小保証電力を取得し、
前記Ｎ個の第１のサブフレームにおいて送信され、前記第１のキャリアによって搬送される前記チャネルのための第１の利用可能な送信電力、および前記第２のサブフレームにおいて送信され、前記第２のキャリアによって搬送される前記チャネルの第２の利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位に基づいて取得し、
前記最小保証電力と前記第１の利用可能な送信電力および前記第２の利用可能な送信電力のうちの少なくとも１つとに基づいて、前記Ｎ個の第１のサブフレームにおいて送信され、前記第１のキャリアによって搬送される前記チャネルのための前記利用可能な送信電力、および前記第２のサブフレームにおいて送信され、前記第２のキャリアによって搬送される前記チャネルの前記利用可能な送信電力のうちの少なくとも１つを決定する
ように構成される請求項２１に記載の端末。
【請求項２３】
前記処理ユニットは、
前記優先順位に基づいて前記第１の初期送信電力および前記第２の初期送信電力を低減して、前記Ｎ個の第１のサブフレームにおいて送信され、前記第１のキャリアによって搬送される前記チャネルのための前記第１の利用可能な送信電力、および前記第２のサブフレームにおいて送信され、前記第２のキャリアによって搬送される前記チャネルの前記第２の利用可能な送信電力をそれぞれ取得することであって、前記Ｎ個の第１のサブフレームにおいて送信され、前記第１のキャリアによって搬送される前記チャネルのための前記第１の利用可能な送信電力、および前記第２のサブフレームにおいて送信され、前記第２のキャリアによって搬送される前記チャネルの前記第２の利用可能な送信電力の合計は、前記最大送信電力以下である、取得すること
を行うように構成される請求項２２に記載の端末。
【請求項２４】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、およびチャネルに対応するキャリア間の優先順位のうちの少なくとも１つを備える請求項２１乃至２３のいずれか一項に記載の端末。
【請求項２５】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびＳＲＳが共存するとき、前記ＳＲＳは最も低い優先度を有する、
のうちの少なくとも１つを備える請求項２４に記載の端末。
【請求項２６】
前記受信ユニットは、
前記第１のキャリアまたは前記第２のキャリア上で前記アクセスネットワークデバイスによって送信された上位レイヤシグナリングまたは物理レイヤシグナリングを受信することであって、前記上位レイヤシグナリングまたは前記物理レイヤシグナリングは、優先順位ルールを備え、前記優先順位ルールは、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位を決定するために使用される、受信することを行うようにさらに構成される請求項２１乃至２３のいずれか一項に記載の端末。
【請求項２７】
前記受信ユニットは、
前記第１のキャリアまたは前記第２のキャリア上で前記アクセスネットワークデバイスによって送信された第１のシグナリングを受信することであって、前記第１のシグナリングは、前記第１のキャリアによって搬送される前記チャネルの前記最小保証電力情報を搬送する上位レイヤシグナリングまたは物理レイヤシグナリングである、受信することを行うように構成される請求項２１乃至２３のいずれか一項に記載の端末。
【請求項２８】
前記第１のキャリア上で送信される第１のシグナリングの送信サブフレームは、前記第２のキャリア上で送信される第２のシグナリングの送信サブフレームと重複し、前記第２のシグナリングは、前記第２のサブフレームにおいて前記第２のキャリアによって搬送される前記チャネルの電力割振り情報を搬送する請求項２１乃至２３のいずれか一項に記載の端末。
【請求項２９】
端末であって、
アクセスネットワークデバイスによって送信された電力調整ファクタを受信するように構成された受信ユニットと、
前記電力調整ファクタおよびサブフレームの第１の部分におけるチャネルの利用可能な送信電力に基づいて前記サブフレームの第２の部分におけるチャネルの利用可能な送信電力を取得するように構成された処理ユニットであって、前記サブフレームは前記第１の部分および前記第２の部分を備え、前記第２の部分は前記第１の部分の後に続き、前記電力調整ファクタは、前記サブフレームの前記第１の部分における前記チャネルの前記利用可能な送信電力と前記サブフレームの前記第２の部分における前記チャネルの前記利用可能な送信電力との間のオフセット値を決定するために使用される、処理ユニットと
を備える端末。
【請求項３０】
前記受信ユニットは、
上位レイヤシグナリングまたは物理レイヤシグナリングを使用することによって、前記アクセスネットワークデバイスによって送信された前記電力調整ファクタを受信するように構成される請求項２９に記載の端末。
【請求項３１】
前記電力調整ファクタはセル固有パラメータである請求項２９または３０に記載の端末。
【請求項３２】
アクセスネットワークデバイスであって、
第１のキャリアによって搬送されるチャネルの最小保証電力情報を決定するように構成された決定ユニットと、
前記第１のキャリアによって搬送される前記チャネルの前記最小保証電力情報を端末に送信するように構成された送信ユニットであって、前記最小保証電力情報は、第１の初期送信電力のいずれかおよび第２の初期送信電力の合計が前記端末の最大送信電力よりも大きいとき、Ｎ個の第１のサブフレームにおいて送信され、前記第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、前記第１のキャリアによって搬送されるチャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するために前記端末によって使用され、前記第１の初期送信電力は、前記Ｍ個の第１のサブフレームの各々において送信され、前記第１のキャリアによって搬送される前記チャネルの初期送信電力を備え、前記第２の初期送信電力は、前記第２のサブフレームにおいて送信され、前記第２のキャリアによって搬送される前記チャネルの初期送信電力であり、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、送信ユニットと
を備えるアクセスネットワークデバイス。
【請求項３３】
前記送信ユニットは、
前記第１のキャリアまたは前記第２のキャリア上で上位レイヤシグナリングまたは物理レイヤシグナリングを前記端末に送信することであって、前記上位レイヤシグナリングまたは前記物理レイヤシグナリングは、前記第１のキャリアによって搬送される前記チャネルの前記最小保証電力情報を備える、送信することを行うように構成される請求項３２に記載のアクセスネットワークデバイス。
【請求項３４】
前記第１のキャリア上で送信される第１のシグナリングの送信サブフレームは、前記第２のキャリア上で送信される第２のシグナリングの送信サブフレームと重複し、前記第２のシグナリングは、前記第２のサブフレームにおいて前記第２のキャリアによって搬送される前記チャネルの電力割振り情報を搬送する請求項３３に記載のアクセスネットワークデバイス。
【請求項３５】
前記送信ユニットは、
前記第１のキャリアまたは前記第２のキャリア上で前記上位レイヤシグナリングまたは前記物理レイヤシグナリングを前記端末に送信することであって、前記上位レイヤシグナリングまたは前記物理レイヤシグナリングは、優先順位ルールを備え、前記優先順位ルールは、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位を決定するために使用される、送信することを行うようにさらに構成される請求項３２乃至３４のいずれか一項に記載のアクセスネットワークデバイス。
【請求項３６】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、およびチャネルに対応するキャリア間の優先順位のうちの少なくとも１つを備える請求項３５に記載のアクセスネットワークデバイス。
【請求項３７】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびＳＲＳが共存するとき、前記ＳＲＳは最も低い優先度を有する、
のうちの少なくとも１つを備える請求項３６に記載のアクセスネットワークデバイス。
【請求項３８】
アクセスネットワークデバイスであって、
電力調整ファクタを決定するように構成された決定ユニットと、
前記電力調整ファクタを端末に送信するように構成された送信ユニットであって、前記電力調整ファクタは、前記電力調整ファクタおよびサブフレームの第１の部分におけるチャネルの利用可能な送信電力に基づいて前記サブフレームの第２の部分におけるチャネルの利用可能な送信電力を取得するために前記端末によって使用され、前記サブフレームは前記第１の部分および前記第２の部分を備え、前記第２の部分は前記第１の部分の後に続き、前記電力調整ファクタは、前記サブフレームの前記第１の部分における前記チャネルの前記利用可能な送信電力と前記サブフレームの前記第２の部分における前記チャネルの前記利用可能な送信電力との間のオフセット値を決定するために使用される、送信ユニットと
を備えるアクセスネットワークデバイス。
【請求項３９】
前記送信ユニットは、
上位レイヤシグナリングまたは物理レイヤシグナリングを使用することによって、前記電力調整ファクタを前記端末に送信するように構成される請求項３８に記載のアクセスネットワークデバイス。
【請求項４０】
前記電力調整ファクタはセル固有パラメータである請求項３８または３９に記載のアクセスネットワークデバイス。
【発明の詳細な説明】
【技術分野】
【０００１】
本出願は、通信技術の分野に関し、詳細には、電力割振り方法、電力調整方法、端末、およびアクセスネットワークデバイスに関する。
【背景技術】
【０００２】
ロングタームエボリューションアドバンスト（Ｌｏｎｇ  Ｔｅｒｍ  Ｅｖｏｌｕｔｉｏｎ  Ａｄｖａｎｃｅｄ、略して「ＬＴＥ−Ａ」）システムは、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して「３ＧＰＰ」）ロングタームエボリューション（Ｌｏｎｇ  Ｔｅｒｍ  Ｅｖｏｌｕｔｉｏｎ、略して「ＬＴＥ」）システムの発展拡張型（evolved and enhanced）システムである。ＬＴＥ−Ａシステムでは、第４世代通信技術のピークデータレートに関する国際電気通信連合の要件を満たすために、スペクトルアグリゲーション（Ｓｐｅｃｔｒｕｍ  Ａｇｇｒｅｇａｔｉｏｎ）技術または帯域幅拡張（Ｂａｎｄｗｉｄｔｈ  Ｅｘｔｅｎｓｉｏｎ）技術とも呼ばれるキャリアアグリゲーション（Ｃａｒｒｉｅｒ  Ａｇｇｒｅｇａｔｉｏｎ、略して「ＣＡ」）技術が導入される。キャリアアグリゲーションでは、２つ以上のコンポーネントキャリア（Ｃｏｍｐｏｎｅｎｔ  Ｃａｒｒｉｅｒ）のスペクトルがアグリゲートされて、より大きい送信帯域幅を取得する。
【０００３】
キャリアアグリゲーションシナリオでは、異なるキャリア上のアップリンクサブフレームは互いと重複する。この現象は、主に以下の２つの場合において生じる（２つのキャリアはすべての以下の説明において例として使用され、複数のキャリアが実際に含まれ得る）。
【０００４】
場合１：第１のキャリア上のアップリンクサブフレームの長さと第２のキャリア上のアップリンクサブフレームの長さとの間に比較的大きい差があり、その結果、第２のキャリア上の１つのアップリンクサブフレームは、第１のキャリア上の複数のアップリンクサブフレームに対応している。特に、５Ｇ高周波数シナリオでは、最小送信時間粒度（言い換えれば、データ送信の最小時間単位）は異なるキャリア上で異なる。例えば、２８ＧＨｚの高周波数におけるサブフレームの長さは０．３ｍｓであり、２ＧＨｚの低周波数におけるサブフレームの長さは１ｍｓに設定されることがあり、したがって、１つの低周波数サブフレームは複数の高周波数サブフレームに対応している。
【０００５】
場合２：第１のキャリア上のアップリンクサブフレームおよび第２のキャリア上のアップリンクサブフレームは、近似の長さまたは同一の長さを有する。しかしながら、第１のキャリア上のアップリンクサブフレームの開始時間および第２のキャリア上のアップリンクサブフレームの開始時間は異なり、したがって、第１のキャリア上のアップリンクサブフレームと第２のキャリア上のアップリンクサブフレームとの間にロケーションオフセットがある。したがって、第２のキャリア上の１つのアップリンクサブフレームは、第１のキャリア上の２つのアップリンクサブフレームと重複する。特に、２つのキャリアは２つのタイミングアドバンスグループ（Ｔｉｍｉｎｇ  Ａｄｖａｎｃｅ  Ｇｒｏｕｐ、略して「ＴＡＧ」）に属し、２つのキャリア上のアップリンク送信チャネルは異なるタイミングアドバンスを有する。したがって、２つのキャリア上のアップリンクサブフレームは異なる開始時間を有し、互いと重複する。
【０００６】
２つのキャリア上のアップリンクサブフレームにおいてアップリンクデータを送信する前に、端末は、対応するアップリンクサブフレームのチャネルに電力を割り振る必要がある。通常、電力割振り方法では、各アップリンクサブフレームによって必要とされるチャネル送信電力（言い換えれば、アップリンクサブフレームにおいて送信されるチャネルの送信電力）は、ダウンリンク制御情報（Ｄｏｗｎｌｉｎｋ  Ｃｏｎｔｒｏｌ  Ｉｎｆｏｒｍａｔｉｏｎ、略して「ＤＣＩ」）に基づいて決定され、次いで、２つのキャリア上の重複するアップリンクサブフレームにおける各チャネルの送信電力は、２つのキャリア上の重複するアップリンクサブフレームにおけるチャネルの優先度に基づいて決定される。特に、電力割振りの前に、端末は、それぞれ２つのキャリアに対応する２個のＤＣＩを取得し得る。第２のキャリアの場合、アップリンクサブフレームにおける、電力が割り振られる必要がある、送信されるべきチャネルについての電力割振り情報などを含む情報は、第２のキャリアに対応するＤＣＩに基づいて決定されることができる。第１のキャリアの場合、第２のキャリアに対応するＤＣＩが取得されるとき、第２のキャリア上のアップリンクサブフレームと重複する第１のキャリア上の最初のいくつかの（または１つの）アップリンクサブフレームにおけるチャネルについての情報のみが取得されることができるが、第１のキャリア上の最後のいくつかの（または１つの）アップリンクサブフレームにおけるチャネルについての情報は含まれない。したがって、電力が２つのキャリア上の重複するアップリンクサブフレームにおけるチャネルの優先度に基づいて割り振られるとき、２つのキャリア上で重複する最後のいくつかの（または１つの）アップリンクサブフレームにおける第１のキャリアによって必要とされるチャネル送信電力は考慮されることができない。
【０００７】
上記の理由により、上記の解決策に従って割り振られる電力は、第１のキャリア上の最後のいくつかの（または１つの）アップリンクサブフレームにおけるチャネルの送信電力要件を満たさないことがある。
【０００８】
加えて、第２のキャリア上の１つのアップリンクサブフレーム（ロングサブフレーム）が第１のキャリア上の複数のアップリンクサブフレーム（ショートサブフレーム）と重複するシナリオでは、ショートサブフレームのうちの１つは、おそらく比較的大きい電力を必要とし、したがって、ロングサブフレーム全体の電力割振り要件は、事実上満たされることができない。
【発明の概要】
【発明が解決しようとする課題】
【０００９】
第１のキャリア上のアップリンクサブフレームが第２のキャリア上のアップリンクサブフレームと重複するときの不適切な電力割振りの従来技術の問題を解決するために、本発明の実施形態は、電力割振り方法、電力調整方法、端末、およびアクセスネットワークデバイスを提供する。技術的解決策は以下の通りである。
【課題を解決するための手段】
【００１０】
第１の態様によれば、本発明の実施形態は、電力割振り方法を提供する。方法は、
端末によって、第１の初期送信電力および第２の初期送信電力を決定するステップであって、第１の初期送信電力は、Ｍ個の第１のサブフレームの各々において送信され、第１のキャリアによって搬送されるチャネルの初期送信電力を含み、第２の初期送信電力は、第２のサブフレームにおいて送信され、第２のキャリアによって搬送されるチャネルの初期送信電力である、ステップと、
端末によって、第１のキャリアによって搬送されるチャネルのものであり、アクセスネットワークデバイスによって送信される最小保証電力情報を受信するステップと、
第１の初期送信電力のいずれかおよび第２の初期送信電力の合計が端末の最大送信電力よりも大きいとき、端末によって、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するステップであって、第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である、ステップと
を含む。
【００１１】
本出願では、１つのキャリア上のアップリンクサブフレームが別のキャリア上の複数のアップリンクサブフレームと重複するとき、最小保証電力は重複するエリアの最後の部分のために予約され、その結果、重複するエリアの最後の部分における電力要件は２つのキャリアに対するアップリンク電力割振りの間に満たされて、重複するエリアの最後の部分のアップリンクサブフレームにおけるデータ送信の性能を保証することができる。これは、アップリンクデータ送信の電力効率およびデータ送信性能の最大化を実装する。
【００１２】
第１の態様の第１の可能な実装では、端末によって、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するステップは、
端末によって、第１のキャリアによって搬送されるチャネルの最小保証電力情報に基づいて最小保証電力を取得するステップと、
端末によって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得するステップと、
端末によって、最小保証電力と第１の利用可能な送信電力および第２の利用可能な送信電力のうちの少なくとも１つとに基づいて、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力のうちの少なくとも１つを決定するステップと
を含む。
【００１３】
実装では、第１の利用可能な送信電力および第２の利用可能な送信電力は最初に、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて決定されて、電力が好ましくはより高い優先度を有するチャネルに割り振られることを保証する。上記のステップが完了した後、電力は、第１の利用可能な送信電力、第２の利用可能な送信電力、および最小保証電力に基づいて再び割り振られて、Ｎ個の第１のサブフレームにおいて送信され、第１のキャリアによって搬送されるチャネルのための適切な電力を保証する。
【００１４】
第１の可能な実装に関して、第１の態様の第２の可能な実装では、端末によって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得するステップは、
優先順位に基づいて第１の初期送信電力および第２の初期送信電力を低減して、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力をそれぞれ取得するステップであって、Ｎ個の第１のサブフレームの各々において送信され、第１のキャリアによって搬送されるチャネルの第１の利用可能な送信電力、および第２のサブフレームにおいて送信され、第２のキャリアによって搬送されるチャネルの第２の利用可能な送信電力の合計は、最大送信電力以下である、ステップ
を含む。
【００１５】
実装では、第１の初期送信電力および第２の初期送信電力は、優先順位に基づいて低減されて、２つのキャリアのチャネルに最終的に割り振られる送信電力の合計が端末の最大送信電力を超えないことを保証する。
【００１６】
特に、より低い優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、低減される。
【００１７】
代替として、異なる優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、異なる低減比（より低い優先度を有するチャネルの低減比は、より高い優先度を有するチャネルの低減比よりも大きい）に従って低減される。
【００１８】
第１の態様または第１の態様の第１のもしくは第２の可能な実装に関して、第１の態様の第３の可能な実装では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【００１９】
実装では、優先順位は、異なる組合せ方式を含み、その結果、端末は、異なるシナリオにおいて異なる優先順位方式で電力を割り振ることができる。
【００２０】
第３の可能な実装に関して、第１の態様の第４の可能な実装では、チャネルタイプ間の優先順位は、以下のうちの少なくとも１つを含む。
【００２１】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびサウンディング基準信号ＳＲＳが共存するとき、ＳＲＳは最も低い優先度を有する。
【００２２】
特に、チャネルによって搬送されるＵＣＩ間の優先順位は、以下のうちの少なくとも１つを含む。
【００２３】
チャネル状態情報およびスケジューリング要求が共存するとき、チャネル状態情報の優先度はスケジューリング要求の優先度よりも低い、または
ハイブリッド自動再送要求情報およびスケジューリング要求が共存するとき、ハイブリッド自動再送要求情報の優先度はスケジューリング要求の優先度以上である。
【００２４】
特に、チャネルに対応するキャリア間の優先順位は、以下のうちの少なくとも１つを含む。
【００２５】
キャリアのインデックス番号に基づいて決定される優先順位、上位レイヤにおいて構成されるキャリアの優先順位、キャリアの複信方式に基づいて決定される優先順位、キャリアの無線リソース接続ＲＲＣ接続状態に基づいて決定される優先順位、およびキャリアに対応する送信ポイントに基づいて決定される優先順位。
【００２６】
キャリアのＲＲＣ接続状態に基づいて決定される優先順位は、以下のうちの少なくとも１つを含む。
【００２７】
ＲＲＣ接続をサポートするキャリアの優先度は、ＲＲＣ接続をサポートしないキャリアの優先度よりも高い、および
ＲＲＣ情報を搬送するキャリアの優先度は、ＲＲＣ情報を搬送しないキャリアの優先度よりも高い。
【００２８】
実装では、チャネルタイプ間の優先順位は、異なる組合せ方式を含み、その結果、端末は、異なるシナリオにおいてチャネルタイプの異なる優先順位方式で電力を割り振ることができる。
【００２９】
第１の態様または第１の態様の第１のもしくは第２の可能な実装に関して、第１の態様の第５の可能な実装では、方法は、
端末によって、第１のキャリアまたは第２のキャリア上でアクセスネットワークデバイスによって送信された上位レイヤシグナリングまたは物理レイヤシグナリングを受信するステップであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、ステップ
をさらに含む。
【００３０】
実装では、アクセスネットワークデバイスは、第１のキャリアまたは第２のキャリア上で送信される上位レイヤシグナリングまたは物理レイヤシグナリングを使用することによって優先順位ルールを端末に送信して、端末が優先順位ルールに従って電力割振りを成功裏に完了することができることを保証する。
【００３１】
上位レイヤシグナリングは無線リソース制御シグナリングであってよく、物理レイヤシグナリングはダウンリンク制御情報シグナリングであってよい。
【００３２】
第１の態様または第１の態様の第１のもしくは第２の可能な実装に関して、第１の態様の第６の可能な実装では、端末によって、第１のキャリアによって搬送されるチャネルのものであり、アクセスネットワークデバイスによって送信される最小保証電力情報を受信するステップは、
端末によって、第１のキャリアまたは第２のキャリア上でアクセスネットワークデバイスによって送信された第１のシグナリングを受信するステップであって、第１のシグナリングは、第１のキャリアによって搬送されるチャネルの最小保証電力情報を搬送する上位レイヤシグナリングまたは物理レイヤシグナリングである、ステップ
を含む。
【００３３】
実装では、アクセスネットワークデバイスは、第１のキャリアまたは第２のキャリア上で送信されるシグナリングを使用することによって最小保証電力情報を端末に送信して、端末が最小保証電力情報に基づいて電力割振りを成功裏に完了することができることを保証する。
【００３４】
第６の可能な実装に関して、第１の態様の第７の可能な実装では、第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【００３５】
実装では、最小保証電力情報を送信するために使用される第１のシグナリングは、第２のサブフレームにおいて第２のキャリアによって搬送されるチャネルの電力割振り情報を搬送する第２のシグナリングと重複して、電力割振りが開始するときに端末が最小保証電力情報を取得することができることを保証する。
【００３６】
任意選択で、方法は、端末によって、Ｎ個の第１のサブフレームにおいて送信され、第１のキャリアによって搬送されるチャネルのための利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの利用可能な送信電力に基づいて、第２のサブフレームにおいて送信され、第２のキャリアによって搬送されるチャネルを送信するステップとをさらに含み得る。
【００３７】
第２の態様によれば、本発明の実施形態は、電力調整方法を提供する。方法は、
端末によって、アクセスネットワークデバイスによって送信された電力調整ファクタを受信するステップと、
端末によって、電力調整ファクタおよびサブフレームの第１の部分におけるチャネルの利用可能な送信電力に基づいてサブフレームの第２の部分におけるチャネルの利用可能な送信電力を取得するステップであって、サブフレームは第１の部分および第２の部分を含み、第２の部分は第１の部分の後に続き、電力調整ファクタは、サブフレームの第１の部分におけるチャネルの利用可能な送信電力とサブフレームの第２の部分におけるチャネルの利用可能な送信電力との間のオフセット値を決定するために使用される、ステップと
を含む。
【００３８】
本出願では、データ送信の間、サブフレームの２つの部分におけるチャネルの送信電力は、電力調整ファクタを使用することによって調整され、その結果、サブフレームにおけるチャネルの送信電力は、リアルタイムで調整されることができ、サブフレームにおけるチャネルの電力割振りおよび電力効率は、最大化されることができる。
【００３９】
オフセット値は、比率値または差分値であってよい。電力調整ファクタが差分値であるとき、正または負になるようにオフセット値を制御して、第１の電力を増加または低減し、第２の電力を取得する。電力調整ファクタが比率値であるとき、１よりも大きくなるようにまたは１よりも小さくなるように電力値を制御して、第１の電力を増加または低減し、第２の電力を取得する。
【００４０】
第２の態様の第１の可能な実装では、端末によって、アクセスネットワークデバイスによって送信された電力調整ファクタを受信するステップは、
端末によって、上位レイヤシグナリングまたは物理レイヤシグナリングを使用することによって、アクセスネットワークデバイスによって送信された電力調整ファクタを受信するステップ
を含む。
【００４１】
上位レイヤシグナリングはＲＲＣシグナリングであってよく、物理レイヤシグナリングはＤＣＩシグナリングであってよい。
【００４２】
第２の態様または第２の態様の第１の可能な実装に関して、第２の態様の第２の可能な実装では、電力調整ファクタはセル固有パラメータである。
【００４３】
第３の態様によれば、本発明の実施形態は、電力割振り方法を提供する。方法は、
アクセスネットワークデバイスによって、第１のキャリアによって搬送されるチャネルの最小保証電力情報を決定するステップと、
アクセスネットワークデバイスによって、第１のキャリアによって搬送されるチャネルの最小保証電力情報を端末に送信するステップであって、最小保証電力情報は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するために端末によって使用され、第１の初期送信電力は、Ｍ個の第１のサブフレームの各々において送信され、第１のキャリアによって搬送されるチャネルの初期送信電力を含み、第２の初期送信電力は、第２のサブフレームにおいて送信され、第２のキャリアによって搬送されるチャネルの初期送信電力であり、第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である、ステップと
を含む。
【００４４】
第３の態様の第１の可能な実装では、アクセスネットワークデバイスによって、第１のキャリアによって搬送されるチャネルの最小保証電力情報を端末に送信するステップは、
アクセスネットワークデバイスによって、第１のキャリアまたは第２のキャリア上で上位レイヤシグナリングまたは物理レイヤシグナリングを端末に送信するステップであって、上位レイヤシグナリングまたは物理レイヤシグナリングは、第１のキャリアによって搬送されるチャネルの最小保証電力情報を含む、ステップ
を含む。
【００４５】
第１の可能な実装に関して、第３の態様の第２の可能な実装では、第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【００４６】
第３の態様または第３の態様の第１のもしくは第２の可能な実装に関して、第３の態様の第３の可能な実装では、方法は、
アクセスネットワークデバイスによって、第１のキャリアまたは第２のキャリア上で上位レイヤシグナリングまたは物理レイヤシグナリングを端末に送信するステップであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、ステップ
をさらに含む。
【００４７】
第３の可能な実装に関して、第３の態様の第４の可能な実装では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【００４８】
第４の可能な実装に関して、第３の態様の第５の可能な実装では、チャネルタイプ間の優先順位は、以下のうちの少なくとも１つを含む。
【００４９】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびＳＲＳが共存するとき、ＳＲＳは最も低い優先度を有する。
【００５０】
第４の態様によれば、本発明の実施形態は、電力調整方法を提供する。方法は、
アクセスネットワークデバイスによって、電力調整ファクタを決定するステップと、
アクセスネットワークデバイスによって、電力調整ファクタを端末に送信するステップであって、電力調整ファクタは、電力調整ファクタおよびサブフレームの第１の部分におけるチャネルの利用可能な送信電力に基づいてサブフレームの第２の部分におけるチャネルの利用可能な送信電力を取得するために端末によって使用され、サブフレームは第１の部分および第２の部分を含み、第２の部分は第１の部分の後に続き、電力調整ファクタは、サブフレームの第１の部分におけるチャネルの利用可能な送信電力とサブフレームの第２の部分におけるチャネルの利用可能な送信電力との間のオフセット値を決定するために使用される、ステップと
を含む。
【００５１】
第４の態様の第１の可能な実装では、アクセスネットワークデバイスによって、電力調整ファクタを端末に送信するステップは、
アクセスネットワークデバイスによって、上位レイヤシグナリングまたは物理レイヤシグナリングを使用することによって、電力調整ファクタを端末に送信するステップ
を含む。
【００５２】
第４の態様または第４の態様の第１の可能な実装に関して、第４の態様の第２の可能な実装では、電力調整ファクタはセル固有パラメータである。
【００５３】
第５の態様によれば、本発明の実施形態は、通信装置を提供する。装置は、第１の態様において説明される方法を実装するように構成された、決定ユニット、受信ユニット、および処理ユニットなどのユニットを含む。
【００５４】
第６の態様によれば、本発明の実施形態は、通信装置を提供する。装置は、第２の態様において説明される方法を実装するように構成された、受信ユニットおよび処理ユニットなどのユニットを含む。
【００５５】
第７の態様によれば、本発明の実施形態は、通信装置を提供する。装置は、第３の態様において説明される方法を実装するように構成された、決定ユニットおよび送信ユニットなどのユニットを含む。
【００５６】
第８の態様によれば、本発明の実施形態は、通信装置を提供する。装置は、第４の態様において説明される方法を実装するように構成された、決定ユニットおよび送信ユニットなどのユニットを含む。
【００５７】
第９の態様によれば、本発明の実施形態は、通信システムを提供する。システムは、端末およびアクセスネットワークデバイスを含む。端末は、第５の態様または第６の態様において提供される通信装置を含む。アクセスネットワークデバイスは、第７の態様または第８の態様において提供される通信装置を含む。
【００５８】
第１０の態様によれば、本発明の実施形態は、端末を提供する。端末は、プロセッサ、メモリ、およびトランシーバを含む。プロセッサ、メモリ、およびトランシーバは、バスを使用することによって結合される。メモリは、プログラム命令を記憶するように構成される。プロセッサは、メモリに記憶されたプログラム命令を実行し、その結果、アクセスネットワークデバイスは、第１の態様または第２の態様において説明される方法を実施することができる。
【００５９】
第１１の態様によれば、本発明の実施形態は、アクセスネットワークデバイスによって実行されるべきプログラムコードを記憶するように構成されたコンピュータ可読媒体をさらに提供する。プログラムコードは、第１の態様または第２の態様において説明される方法を実施するために使用される命令を含む。
【００６０】
第１２の態様によれば、本発明の実施形態は、アクセスネットワークデバイスを提供する。アクセスネットワークデバイスは、プロセッサ、メモリ、およびトランシーバを含む。プロセッサ、メモリ、およびトランシーバは、バスを使用することによって結合される。メモリは、プログラム命令を記憶するように構成される。プロセッサは、メモリに記憶されたプログラム命令を実行し、その結果、端末は、第３の態様または第４の態様において説明される方法を実施することができる。
【００６１】
第１３の態様によれば、本発明の実施形態は、端末によって実行されるべきプログラムコードを記憶するように構成されたコンピュータ可読媒体をさらに提供する。プログラムコードは、第３の態様または第４の態様において説明される方法を実施するために使用される命令を含む。
【００６２】
第１４の態様によれば、本発明の実施形態は、モバイル通信システムデバイスに適用される通信チップをさらに提供する。通信チップは、プロセッサ、メモリ、および通信インターフェースを含む。プロセッサ、メモリ、および通信インターフェースは、バスを使用することによって結合される。メモリは、プログラム命令を記憶するように構成される。プロセッサは、メモリに記憶されたプログラム命令を実行し、その結果、通信チップによってロードされる通信システムデバイスは、第１の態様、第２の態様、第３の態様、または第４の態様の可能な実装のうちのいずれか１つにおいて提供される方法を実施することができる。
【図面の簡単な説明】
【００６３】
【図１】本発明の実施形態による通信システムのアーキテクチャ概略図である。
【図２】本発明の実施形態による別の通信システムのアーキテクチャ概略図である。
【図３】本発明の実施形態によるチャネルの時間シーケンスの図である。
【図４】本発明の実施形態による端末のハードウェア構造の概略図である。
【図５】本発明の実施形態によるアクセスネットワークデバイスのハードウェア構造の概略図である。
【図６】本発明の実施形態による電力割振り方法のフローチャートである。
【図６Ａ】本発明の実施形態によるチャネルの時間シーケンスの図である。
【図７】本発明の実施形態による電力調整方法のフローチャートである。
【図８】本発明の実施形態による通信装置の概略構造図である。
【図９】本発明の実施形態による別の通信装置の概略構造図である。
【図１０】本発明の実施形態による別の通信装置の概略構造図である。
【図１１】本発明の実施形態による別の通信装置の概略構造図である。
【図１２】本発明の実施形態による通信チップの概略構造図である。
【発明を実施するための形態】
【００６４】
本出願の目的、技術的解決策、および利点をより明確にするために、以下は、添付の図面を参照しながら本出願の実装について詳細にさらに説明する。
【００６５】
図１および図２は、本発明の実施形態による通信システムの概略構造図である。通信システムは、ＬＴＥシステムまたは５Ｇシステムであり得る。通信システムは、少なくとも１つの端末１２０および少なくとも１つの基地局１４０を含む。
【００６６】
図１および図２に示されている通信システムは、２つの異なる適用シナリオに対応している。本発明の実施形態において提供される技術的解決策の理解を容易にするために、本出願の適用シナリオは最初に、図１および図２を参照しながら説明される。
【００６７】
適用シナリオ１（図１参照）は、アクセスネットワークデバイス（例えば、基地局）間のキャリアアグリゲーションのシナリオである。
【００６８】
端末１２０は、２つのアクセスネットワークデバイス１４０とともにデータを同時に送信して、キャリアアグリゲーションを実装する。図１に示されているように、端末１２０はキャリアＡ上でアップリンクデータを１つのアクセスネットワークデバイス１４０に送信し、端末１２０はキャリアＢ上でアップリンクデータを別のアクセスネットワークデバイス１４０に送信する。このシナリオでは、データがリアルタイムで交換されることが可能であること（理想的なバックホール）およびデータが２つのアクセスネットワークデバイス１４０間でリアルタイムで交換されることが可能ではないこと（非理想的なバックホール）の２つの場合がある。アップリンクデータおよびダウンリンクデータは、それぞれ、キャリアＡ（またはキャリアＢ）のアップリンクサブフレームおよびダウンリンクサブフレームを搬送体として使用することによって送信される。
【００６９】
キャリアＡおよびキャリアＢが２つの異なるＴＡＧに属する場合、異なるＴＡＧは異なるタイミングアドバンスを有するので、端末１２０がアップリンクデータを２つのアクセスネットワークデバイス１４０に送信するサブフレームは異なる開始時間を有する。したがって、２つのサブフレームが比較的大きい長さの差を有するかまたは小さい長さの差を有するかにかかわらず、２つのアクセスネットワークデバイスに対応するアップリンクサブフレームの間に整合されていない時間および／または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７０】
キャリアＡおよびキャリアＢが２つの同じＴＡＧに属する場合、同じＴＡＧは同じタイミングアドバンスを有するので、端末１２０がアップリンクデータを２つのアクセスネットワークデバイス１４０に送信するアップリンクサブフレームは同じ開始時間を有する。したがって、２つのサブフレームの間に比較的大きい長さの差があるときのみ、２つのアップリンクサブフレームの間に整合されていない時間および／または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７１】
適用シナリオ２（図２を参照）は、単一のアクセスネットワークデバイスのキャリアアグリゲーションである。
【００７２】
端末１２０は、少なくとも２つのキャリア上でデータを送信して、キャリアアグリゲーションを実装する。図２に示されているように、端末１２０は、キャリアＡおよびキャリアＢ上でアップリンクデータをアクセスネットワークデバイス１４０に同時に送信する。
【００７３】
キャリアＡおよびキャリアＢが２つの異なるＴＡＧに属する場合、異なるＴＡＧは異なるタイミングアドバンスを有するので、端末１２０がアップリンクデータをアクセスネットワークデバイス１４０に送信するアップリンクサブフレームは異なる開始時間を有する。したがって、２つのサブフレームが比較的大きい長さの差を有するかまたは小さい長さの差を有するかにかかわらず、２つのアクセスネットワークデバイスに対応するアップリンクサブフレームの間に整合されていない時間または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７４】
キャリアＡおよびキャリアＢが２つの同じＴＡＧに属する場合、同じＴＡＧは同じタイミングアドバンスを有するので、端末１２０がアップリンクデータをアクセスネットワークデバイス１４０に送信するアップリンクサブフレームは同じ開始時間を有する。したがって、２つのサブフレームの間に比較的大きい長さの差があるときのみ、２つのアクセスネットワークデバイスに対応する２つのアップリンクサブフレームの間に整合されていない時間および／または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７５】
以下は、図３を参照しながら、２つのサブフレームの間に比較的大きい長さの差がある場合について説明する。図３に示されているように、端末は、低周波数キャリア（Ｌｏｗ−ｆｒｅｑｕｅｎｃｙ  ｃａｒｒｉｅｒ）および高周波数キャリア（Ｈｉｇｈ−ｆｒｅｑｕｅｎｃｙ  ｃａｒｒｉｅｒ）上でアクセスネットワークデバイスとのキャリアアグリゲーション送信を実装する。低周波数キャリア上のサブフレームの長さは、高周波数キャリア上のサブフレームの長さよりも大きい。低周波数キャリア上のサブフレームはロングサブフレームであり、高周波数キャリア上のサブフレームはショートサブフレームである。低周波数キャリア上の１つのロングサブフレームは、高周波数キャリア上の複数のショートサブフレームと重複する。
【００７６】
送信電力をロングサブフレームｉおよびロングサブフレームｉと重複する複数のショートサブフレームに割り振るとき、端末は、これらのショートサブフレームによって必要とされるチャネル送信電力を知る必要があり、ショートサブフレームの各々によって必要とされるチャネル送信電力は、通常、ＤＣＩにおいて搬送される情報（例えば、スケジューリング決定および電力制御コマンド）を使用することによって決定される。図３に示されているように、端末は、瞬間ｔにおいて、送信電力をロングサブフレームｉおよびロングサブフレームｉと重複するショートサブフレーム（ｉ１からｉＮ）に割り振り、この場合、端末によって受信されるＤＣＩは、ＤＣＩ１およびＤＣＩ２を含む。ＤＣＩ１は、ロングサブフレームｉのチャネル送信電力を決定するために使用される情報を搬送し、ＤＣＩ２は、ロングサブフレームｉと重複するＮ個のショートサブフレームのうちの最初のＭ個のショートサブフレームのためのチャネル送信電力を決定するために使用される情報のみを搬送し、最後の（Ｎ−Ｍ）個のショートサブフレームのためのチャネル送信電力を決定するために使用される情報は、ＤＣＩ３において搬送される。したがって、電力が従来の方式で瞬間ｔにおいて割り振られるとき、最後の（Ｎ−Ｍ）個のショートサブフレームの電力要件は満たされることができない。
【００７７】
加えて、いくつかのシナリオでは、電力が既存の方式のみで割り振られる場合、ロングサブフレームの送信電力も影響される。
【００７８】
例えば、動的な時分割複信（Ｔｉｍｅ  Ｄｉｖｉｓｉｏｎ  Ｄｕｐｌｅｘ、略して「ＴＤＤ」）では、ロングサブフレームと重複する複数のショートサブフレームの中で、最初の２つのショートサブフレームは、比較的大きいチャネル送信電力を必要とするアップリンクサブフレームであり得るが、最後のいくつかのショートサブフレームは、比較的小さいチャネル送信電力を必要とするダウンリンクサブフレームである。ショートサブフレームのチャネルの優先度がロングサブフレームのチャネルの優先度よりも高い場合、既存の電力割振り方法によれば、電力が制限されているとき、電力は好ましくは、重複するエリア内のショートサブフレームに割り振られる。したがって、ロングサブフレームにおけるアップリンクデータに割振り可能なチャネル送信電力は、必要とされるチャネル送信電力を満たさないことがあるが、ほとんどの場合、ショートサブフレームにおけるアップリンクデータ送信に割り振られるチャネル送信電力は、ショートサブフレームによって実際に必要とされるチャネル送信電力を超える。これはショートサブフレームにおけるアップリンクデータ送信の送信電力の浪費を引き起こし、不十分な電力がロングサブフレームにおけるアップリンクデータ送信に割り振られる。
【００７９】
本出願のすべての実施形態は、適用シナリオ１と適用シナリオ２の両方に適用可能である。
【００８０】
以下は、特定のハードウェア構造を参照しながら、本発明の実施形態において提供される端末およびアクセスネットワークデバイスについて説明する。
【００８１】
図４は、本発明の実施形態による端末１２０を実装するハードウェア構造を示す。図４に示されているように、端末１２０は、プロセッサ２１、トランシーバ２２、およびメモリ２３を含む。
【００８２】
プロセッサ２１は、１つまたは複数の処理コアを含み、プロセッサ２１は、ソフトウェアプログラムおよびモジュールを実行することによって様々な機能アプリケーションおよび情報処理を実行する。
【００８３】
トランシーバ２２は、受信機Ｒｘおよび送信機Ｔｘを含む。トランシーバ２２は、代替として、通信チップとして実装され得る。通信チップは、受信モジュール、送信モジュール、モデムモジュールなどを含んでよく、情報を変調／復調し、無線信号を使用することによって情報を受信／送信するように構成される。
【００８４】
トランシーバ２２、メモリ２３、およびプロセッサ２１は、バスを使用することによって結合される。メモリ２３は、ソフトウェアプログラムおよびモジュールを記憶するように構成され得る。メモリは、少なくとも１つの機能によって必要とされるオペレーティングシステム２４およびアプリケーションプログラムモジュール２５を記憶し得る。
【００８５】
アプリケーションプログラムモジュール２５は、情報を決定するように構成された決定モジュール２５０、情報を受信するように構成された受信モジュール２５１、および情報を処理するように構成された処理モジュール２５２を少なくとも含む。
決定モジュール２５０は、第１の初期送信電力および第２の初期送信電力を決定するように構成される。第１の初期送信電力は、Ｍ個の第１のサブフレームの各々において送信され、第１のキャリアによって搬送されるチャネルの初期送信電力を含む。第２の初期送信電力は、第２のサブフレームにおいて送信され、第２のキャリアによって搬送されるチャネルの初期送信電力である。
受信モジュール２５１は、第１のキャリアによって搬送されるチャネルのものであり、アクセスネットワークデバイスによって送信される最小保証電力情報を受信するように構成される。
処理モジュール２５２は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するように構成される。
第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である。
【００８６】
任意選択で、プロセッサ２１は、アプリケーションプログラムモジュール２５内のモジュールを実行して、端末によって実施される必要がある図６のステップを実装するように構成される。
【００８７】
代替として、受信モジュール２５１は、アクセスネットワークデバイスによって送信された電力調整ファクタを受信するように構成される。処理モジュール２５２は、電力調整ファクタおよびサブフレームの第１の部分におけるチャネルの利用可能な送信電力に基づいてサブフレームの第２の部分におけるチャネルの利用可能な送信電力を取得するように構成される。サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【００８８】
対応して、プロセッサ２１は、アプリケーションプログラムモジュール２５内のモジュールを実行して、端末によって実施される必要がある図７のステップを実装するように構成される。
【００８９】
加えて、メモリ２３は、コンピュータ可読記憶媒体であり、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク、または光ディスクなどの、任意のタイプの揮発性もしくは不揮発性記憶デバイスまたはそれらの組合せによって実装され得る。
【００９０】
図４に示されている端末１２０の構造は、端末に対するいかなる限定ともならず、端末は、図に示されているものよりも多いもしくは少ない構成要素、いくつかの構成要素の組合せ、または別様に配設された構成要素を含み得ることを当業者は理解し得る。
【００９１】
図５は、本発明の実施形態によるアクセスネットワークデバイス１４０を実装するハードウェア構造を示す。図５を参照すると、アクセスネットワークデバイス１４０は、プロセッサ３１、トランシーバ３２、およびメモリ３３を含む。
【００９２】
プロセッサ３１は、１つまたは複数の処理コアを含み、プロセッサ３１は、ソフトウェアプログラムおよびモジュールを実行することによって様々な機能アプリケーションおよび情報処理を実行する。
【００９３】
トランシーバ３２は、受信機Ｒｘおよび送信機Ｔｘを含む。トランシーバ３２は、代替として、通信チップとして実装され得る。通信チップは、受信モジュール、送信モジュール、モデムモジュールなどを含んでよく、情報を変調／復調し、無線信号を使用することによって情報を受信／送信するように構成される。
【００９４】
トランシーバ３２、メモリ３３、およびプロセッサ３１は、バスを使用することによって結合される。メモリ３３は、ソフトウェアプログラムおよびモジュールを記憶するように構成され得る。メモリは、少なくとも１つの機能によって必要とされるオペレーティングシステム３４およびアプリケーションプログラムモジュール３５を記憶し得る。
アプリケーションプログラムモジュール３５は、情報を決定するように構成された決定モジュール３５１および情報を送信するように構成された送信モジュール３５２を少なくとも含む。決定モジュール３５１は、第１のキャリアによって搬送されるチャネルの最小保証電力情報を決定するように構成される。
送信モジュール３５２は、第１のキャリアによって搬送されるチャネルの最小保証電力情報を端末に送信するように構成される。最小保証電力情報は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するために端末によって使用される。
第１の初期送信電力は、Ｍ個の第１のサブフレームの各々において送信され、第１のキャリアによって搬送されるチャネルの初期送信電力を含む。第２の初期送信電力は、第２のサブフレームにおいて送信され、第２のキャリアによって搬送されるチャネルの初期送信電力である。第２のキャリア上の第２のサブフレームは、第１のキャリア上のＮ個の第１のサブフレームと重複する。Ｍ個の第１のサブフレームは、Ｎ個の第１のサブフレームのうちの最初のＭ個の第１のサブフレームであり、ＮはＭよりも大きく、ＭおよびＮは正の整数である。
【００９５】
任意選択で、プロセッサ３１は、アプリケーションプログラムモジュール３５内のモジュールを実行して、アクセスネットワークデバイスによって実施される必要がある図６のステップを実装するように構成される。
【００９６】
代替として、決定モジュール３５１は、電力調整ファクタを決定するように構成される。送信モジュール３５２は、電力調整ファクタを端末に送信するように構成される。電力調整ファクタは、電力調整ファクタおよびサブフレームの第１の部分におけるチャネルの利用可能な送信電力に基づいてサブフレームの第２の部分におけるチャネルの利用可能な送信電力を取得するために端末によって使用される。サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【００９７】
対応して、プロセッサ３１は、アプリケーションプログラムモジュール３５内のモジュールを実行して、アクセスネットワークデバイスによって実施される必要がある図７のステップを実装するように構成される。
【００９８】
加えて、メモリ３３は、コンピュータ可読記憶媒体であり、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク、または光ディスクなどの、任意のタイプの揮発性もしくは不揮発性記憶デバイスまたはそれらの組合せによって実装され得る。
【００９９】
図５に示されているアクセスネットワークデバイス１４０の構造は、アクセスネットワークデバイスに対するいかなる限定ともならず、アクセスネットワークデバイスは、図に示されているものよりも多いもしくは少ない構成要素、いくつかの構成要素の組合せ、または別様に配設された構成要素を含み得ることを当業者は理解し得る。
【０１００】
図６は、本発明の実施形態による電力割振り方法を示す。方法は、図１または図２に示されているシステムを使用することによって実装される。方法は以下のステップを含む。
【０１０１】
Ｓ１００：端末は、第１の初期送信電力および第２の初期送信電力を決定し、第１の初期送信電力は、Ｍ個の第１のサブフレームの各々において送信され、第１のキャリアによって搬送されるチャネルの初期送信電力を含み、第２の初期送信電力は、第２のサブフレームにおいて送信され、第２のキャリアによって搬送されるチャネルの初期送信電力である。
【０１０２】
電力割振りの前に、端末はＤＣＩ（例えば、図３のＤＣＩ１およびＤＣＩ２）を受信する。ＤＣＩ１は、ロングサブフレームｉのチャネル送信電力を決定するために使用される情報を搬送し、ＤＣＩ２は、ロングサブフレームｉと重複するＮ個のショートサブフレームのうちの最初のＭ個のショートサブフレームのためのチャネル送信電力を決定するために使用される情報のみを搬送する。端末は、ＤＣＩに基づいて第１の初期送信電力および第２の初期送信電力を決定する。
【０１０３】
Ｓ１０１：アクセスネットワークデバイスは、第１のキャリアによって搬送されるチャネルの最小保証電力情報を決定する。
【０１０４】
第１のキャリアによって搬送されるチャネルの最小保証電力情報は、最大送信電力に対する最小保証電力の比のインデックスであり得る。
【０１０５】
第１のキャリアによって搬送されるチャネルのための最小保証電力は０以上であり、最大送信電力ＰＣＭＡＸに対する最小保証電力の比はパーセンテージ（％単位）の形態であり得る。
【０１０６】
例えば、最大送信電力に対する、第１のキャリアによって搬送されるチャネルのための最小保証電力の比は、以下の列挙された候補値、すなわち、０％、５％、１０％、１５％、２０％、３０％、３７％、４４％、５０％、５６％、６３％、７０％、８０％、９０％、９５％、および１００％のうちのいずれか１つであってよい。第１のキャリアによって搬送されるチャネルのための最小保証電力は、最小保証電力情報内のインデックスに基づいて決定される。例えば、インデックスが６である場合、最大送信電力に対する最小保証電力の対応する比は３０％であり、最小保証電力は最大送信電力に基づく計算によって取得されることができる。
【０１０７】
第１のキャリアによって搬送されるチャネルのための最小保証電力が決定されるとき、任意選択で、アクセスネットワークデバイスは、いくつかの重複するアップリンクショートサブフレームにおける送信されるべきデータのタイプおよび優先度に基づいて、第１のキャリアによって搬送されるチャネルの最小保証電力情報を決定し得る。
【０１０８】
アクセスネットワークデバイスは、いくつかの重複するアップリンクショートサブフレームにおける送信されるべきデータのタイプに基づいて、第１のキャリアによって搬送されるチャネルの最小保証電力情報を決定し得る。特に、いくつかの重複するアップリンクショートサブフレームにおける送信されるべきデータのチャネルが比較的高い優先度を有するとき（例えば、最も高い優先度を有するいくつかのデータタイプ）、第１のキャリアによって搬送されるチャネルのための最小保証電力および最大送信電力の比は、指定された値（例えば、５０％）以上であり得る。例えば、いくつかの重複するアップリンクショートサブフレームにおける送信されるべきデータタイプのための物理ランダムアクセスチャネルがあるとき、物理ランダムアクセスチャネルは比較的高い優先度を有すると見なされ、したがって、第１のキャリアによって搬送されるチャネルの最小保証電力情報は、５０％以上の上記の候補値のうちのいずれか１つであり得る。
【０１０９】
実装では、ステップＳ１０１における第１のキャリアによって搬送されるチャネルの最小保証電力情報は、有効期間の間、電力がいくつかの重複するアップリンクサブフレームにおける第１のキャリア上のアップリンクデータに割り振られるときのみ、端末によって使用される。有効期間は回数（例えば、１回または数回）であってよく、または時間（例えば、期間）であってよい。
【０１１０】
別の実装では、ステップＳ１０１における第１のキャリアによって搬送されるチャネルの最小保証電力情報は、端末が電力をいくつかの重複するアップリンクサブフレームにおける第１のキャリアに割り振るときはいつでも使用され得る。
【０１１１】
Ｓ１０２：アクセスネットワークデバイスは、第１のキャリアによって搬送されるチャネルの最小保証電力情報を端末に送信する。
【０１１２】
実装の間、Ｓ１０２は、アクセスネットワークデバイスによって、上位レイヤシグナリングまたは物理レイヤシグナリングを端末に送信することであって、上位レイヤシグナリングまたは物理レイヤシグナリングは、第１のキャリアによって搬送されるチャネルの最小保証電力情報を含む、送信することを含み得る。
【０１１３】
上位レイヤシグナリングは無線リソース制御（Ｒａｄｉｏ  Ｒｅｓｏｕｒｃｅ  Ｃｏｎｔｒｏｌ、略して「ＲＲＣ」）シグナリングであってよく、物理レイヤシグナリングはＤＣＩシグナリングであってよい。
【０１１４】
実装の間、Ｓ１０２は、第１のキャリアまたは第２のキャリア上で、アクセスネットワークデバイスによって、第１のキャリアによって搬送されるチャネルの最小保証電力情報を送信することを含み得る。
【０１１５】
具体的には、上位レイヤシグナリングもしくは物理レイヤシグナリングは第２のキャリア上で送信される上位レイヤシグナリングもしくは物理レイヤシグナリングであってよく、または、上位レイヤシグナリングもしくは物理レイヤシグナリングは第１のキャリア上で送信される上位レイヤシグナリングもしくは物理レイヤシグナリングであってよい。
【０１１６】
さらに、物理レイヤシグナリングは１次コンポーネントキャリア（例えば、第２のキャリア）上で送信される物理レイヤシグナリングであるか、または、物理レイヤシグナリングは２次コンポーネントキャリア（例えば、第１のキャリア）上で送信される物理レイヤシグナリングである。例えば、ＤＣＩシグナリングは１次コンポーネントキャリア上で送信されるＤＣＩシグナリングであるか、または、ＤＣＩシグナリングは２次コンポーネントキャリア上で送信されるＤＣＩシグナリングである。ＤＣＩシグナリングは、特に最小保証電力情報を送信するために使用されるＤＣＩシグナリング（ダウンリンク許可（ＤＬ許可）のために使用されるＤＣＩシグナリングとは異なる）であってよい。
【０１１７】
任意選択で、アクセスネットワークデバイスは、指示シグナリングを使用することによって、Ｎ個の第１のサブフレーム内にあり、第１のキャリアによって搬送されるチャネルの電力割振り情報を端末にさらに送信する。指示シグナリングは、Ｎ個の第１のサブフレームの各々内にあり、第１のキャリアによって搬送されるチャネルの電力割振り情報を搬送する上位レイヤシグナリングまたは物理レイヤシグナリングである。指示シグナリングが物理レイヤシグナリングであるとき、第１のキャリア上で送信される第１のシグナリングの送信サブフレームは、第２のキャリア上で送信される第２のシグナリングの送信サブフレームと重複する。第２のシグナリングは、第２のサブフレームにおいて第２のキャリアによって搬送されるチャネルの電力割振り情報を搬送する。
【０１１８】
例えば、図３に示されているように、ＤＣＩ２は、Ｎ個の第１のサブフレームにおいて第１のキャリアによって搬送されるチャネルの電力割振り情報を搬送する。代替として、ＤＣＩ２および／またはＤＣＩ２の前に、アクセスネットワークデバイスは２個のＤＣＩを端末に送信する。２個のＤＣＩは、Ｍ個の第１のサブフレームにおいて第１のキャリアによって搬送されるチャネルの電力割振り情報および（Ｎ−Ｍ）個の第１のサブフレームにおいて第１のキャリアによって搬送されるチャネルの電力割振り情報を示すために別々に使用される。
【０１１９】
Ｓ１０３：端末は、第１のキャリアによって搬送されるチャネルのものであり、アクセスネットワークデバイスによって送信される最小保証電力情報を受信する。
【０１２０】
実装の間、Ｓ１０３は、端末によって、第１のキャリアまたは第２のキャリア上でアクセスネットワークデバイスによって送信された第１のシグナリングを受信することであって、第１のシグナリングは、第１のキャリアによって搬送されるチャネルの最小保証電力情報を搬送する上位レイヤシグナリングまたは物理レイヤシグナリングである、受信することを含み得る。
【０１２１】
第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【０１２２】
図３が例として使用される。第２のシグナリングはＤＣＩ１であってよく、第１のシグナリングはＤＣＩ２であってよい。ＤＣＩ１およびＤＣＩ２の送信サブフレームは互いと重複する。加えて、ＤＣＩ２において搬送される、第１のキャリアによって搬送されるチャネルの最小保証電力情報は、後続の電力割振りにおいて使用され得る。
【０１２３】
任意選択で、端末は、Ｎ個の第１のサブフレーム内にあり、第１のキャリアによって搬送されるチャネルの電力割振り情報を受信し、電力割振り情報は、指示シグナリングを使用することによってアクセスネットワークデバイスによって送信される。
【０１２４】
Ｓ１０４：第１の初期送信電力のいずれかおよび第２の初期送信電力の合計が端末の最大送信電力よりも大きいとき、端末は、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得する。
【０１２５】
第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である。
【０１２６】
第１のサブフレームと第２のサブフレームの両方は、アップリンクサブフレームである。Ｍ個の第１のサブフレームは同じ長さを有するが、異なるチャネルを送信し得る。
【０１２７】
さらに、第２のキャリア上の第２のサブフレームと第１のキャリア上のＮ個の第１のサブフレームとの間の重複する時間は、事前設定されたしきい値以上である。重複する時間は、重複する部分の時間長である。しきい値は、時間、またはＮ個の第１のサブフレームの時間長に対する重複する時間の比であり得る。例えば、重複する時間は、Ｎ個の第１のサブフレームの時間長の５０％である。
【０１２８】
例えば、図６Ａを参照すると、低周波数キャリア（第２のキャリア）上の１つのアップリンクサブフレーム（第２のサブフレーム）は、高周波数キャリア（第１のキャリア）上の３つのアップリンクサブフレーム（第１のサブフレーム）と重複する（例えば、低周波数キャリアは２ＧＨｚであってよく、高周波数キャリアは２８ＧＨｚであるが、代替として、低周波数キャリアに対応するアップリンクサブフレーム長および高周波数キャリアに対応するアップリンクサブフレーム長の比が１／３であれば、低周波数キャリアおよび高周波数キャリアは他の値であってよい）。電力割振りの間、端末は、高周波数キャリア上での３つのアップリンクサブフレームにおけるアップリンクデータ送信のための送信電力、および低周波数キャリア上での１つのアップリンクサブフレームにおけるアップリンクデータ送信のための送信電力を、高周波数キャリア上でのアップリンクデータ送信の最小保証電力情報に基づいて、および高周波数キャリア上の最初の２つのアップリンクサブフレームのチャネルと、高周波数キャリア上の最初の２つのアップリンクサブフレームのチャネルと重複する低周波数キャリア上の１つのアップリンクサブフレームのチャネルとの優先度に基づいて取得し得る。
【０１２９】
実装の間、Ｓ１０４は以下のステップを含み得る。
【０１３０】
Ｓ１０４１：端末は、第１のキャリアによって搬送されるチャネルの最小保証電力情報に基づいて最小保証電力を取得する。
【０１３１】
例えば、ステップＳ１０１における最小保証電力情報は、最小保証電力のインデックスである。端末は、最大送信電力に対する最小保証電力の比のための候補値を記憶する。最小保証電力のインデックスを取得した後、端末は、インデックスに基づくこれらの候補値から、最大送信電力に対する最小保証電力の比を決定し、次いで、比および最大送信電力に基づく計算によって最小保証電力を取得することができる。
【０１３２】
Ｓ１０４２：端末は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得する。
【０１３３】
ステップＳ１０４２において、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために、端末は最初に、優先順位ルールを取得する必要がある。優先順位ルールは、アップリンクサブフレームのチャネルの優先順位を決定するために使用される。
【０１３４】
実装では、優先順位ルールは事前定義されてよく、端末に事前記憶され、端末は、優先度を決定するときに優先順位ルールを直接取得することができる。
【０１３５】
別の実装では、優先順位ルールはアクセスネットワークデバイスによって端末に送信される。プロセスは、以下のステップを特に含み得る。
【０１３６】
ステップ１：アクセスネットワークデバイスは、優先順位ルールを端末に送信する。
【０１３７】
実装の間、アクセスネットワークデバイスは、上位レイヤシグナリングまたは物理レイヤシグナリングを使用することによって、優先順位ルールを端末に送信し得る。
【０１３８】
上位レイヤシグナリングはＲＲＣシグナリングであってよく、物理レイヤシグナリングはＤＣＩシグナリングであってよい。
【０１３９】
実装の間、アクセスネットワークデバイスは、第１のキャリアまたは第２のキャリア上で、優先順位ルールを端末に送信し得る。
【０１４０】
具体的には、アクセスネットワークデバイスは、第１のキャリアまたは第２のキャリア上で、上位レイヤシグナリングまたは物理レイヤシグナリングを基地局に送信する。上位レイヤシグナリングまたは物理レイヤシグナリングは、優先順位ルールを含む。優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される。異なるシナリオでは、優先順位ルールは異なる。アクセスネットワークデバイスは、異なるシナリオに従って、異なるユーザに対する異なる優先順位ルールを構成し得る。
【０１４１】
さらに、物理レイヤシグナリングは１次コンポーネントキャリア（例えば、第２のキャリア）上で送信される物理レイヤシグナリングであるか、または、物理レイヤシグナリングは２次コンポーネントキャリア（例えば、第１のキャリア）上で送信される物理レイヤシグナリングである。例えば、ＤＣＩシグナリングは１次コンポーネントキャリア上で送信されるＤＣＩシグナリングであるか、または、ＤＣＩシグナリングは２次コンポーネントキャリア上で送信されるＤＣＩシグナリングである。
【０１４２】
この実施形態では、チャネル優先順位は、以下のうちの少なくとも１つを含む。
【０１４３】
チャネルタイプ間の優先順位、チャネルによって搬送されるアップリンク制御情報（Ｕｐｌｉｎｋ  Ｃｏｎｔｒｏｌ  Ｉｎｆｏｒｍａｔｉｏｎ、略して「ＵＣＩ」）間の優先順位、およびチャネルに対応するキャリア間の優先順位。
【０１４４】
特に、チャネルタイプ間の優先順位は、以下のうちの少なくとも１つを含む。
【０１４５】
物理ランダムアクセスチャネル（Ｐｈｙｓｉｃａｌ  Ｒａｎｄｏｍ  Ａｃｃｅｓｓ  Ｃｈａｎｎｅｌ、略して「ＰＲＡＣＨ」）があるとき、ＰＲＡＣＨは最も高い優先度を有する、
物理アップリンク制御チャネル（Ｐｈｙｓｉｃａｌ  Ｕｐｌｉｎｋ  Ｃｏｎｔｒｏｌ  Ｃｈａｎｎｅｌ、略して「ＰＵＣＣＨ」）および物理アップリンク共有チャネル（Ｐｈｙｓｉｃａｌ  Ｕｐｌｉｎｋ  Ｓｈａｒｅｄ  Ｃｈａｎｎｅｌ、略して「ＰＵＳＣＨ」）が共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびサウンディング基準信号（Ｓｏｕｎｄｉｎｇ  Ｒｅｆｅｒｅｎｃｅ  Ｓｉｇｎａｌ、略して「ＳＲＳ」）が共存するとき、ＳＲＳは最も低い優先度を有する。
【０１４６】
特に、チャネルによって搬送されるＵＣＩ間の優先順位は、以下のうちの少なくとも１つを含む。
【０１４７】
チャネル状態情報およびスケジューリング要求が共存するとき、チャネル状態情報の優先度はスケジューリング要求の優先度よりも低い、または
ハイブリッド自動再送要求情報およびスケジューリング要求が共存するとき、ハイブリッド自動再送要求情報の優先度はスケジューリング要求の優先度以上である。
【０１４８】
特に、チャネルに対応するキャリア間の優先順位は、以下のうちの少なくとも１つを含む。
【０１４９】
キャリアのインデックス番号に基づいて決定される優先順位、上位レイヤにおいて構成されるキャリアの優先順位、キャリアの複信方式に基づいて決定される優先順位、キャリアの無線リソース接続ＲＲＣ接続状態に基づいて決定される優先順位、およびキャリアに対応する送信ポイントに基づいて決定される優先順位。
【０１５０】
キャリアのＲＲＣ接続状態に基づいて決定される優先順位は、以下のうちの少なくとも１つを含む。
【０１５１】
ＲＲＣ接続をサポートするキャリアの優先度は、ＲＲＣ接続をサポートしないキャリアの優先度よりも高い、および
ＲＲＣ情報を搬送するキャリアの優先度は、ＲＲＣ情報を搬送しないキャリアの優先度よりも高い。
【０１５２】
代替として、優先順位は、実際のシナリオに従って、対応して設定され得る。例えば、シナリオでは、１次コンポーネントキャリアはＲＡＣＨを送信するために使用され、２次コンポーネントキャリアは（ＰＵＳＣＨ上で搬送される）肯定応答（Ａｃｋｎｏｗｌｅｄｇｍｅｎｔ、略して「ＡＣＫ」）命令を送信するために使用される。この場合、チャネルタイプ間の優先順位は、ＰＲＡＣＨ＞ＰＵＳＣＨである。
【０１５３】
さらに、チャネルタイプ間の優先順位は、ＰＲＡＣＨ＞ＰＵＣＣＨ＞ＰＵＳＣＨであってよく、ただし、ＵＣＩ＞ＰＵＳＣＨであって、ＵＣＩ＞ＳＲＳではない。具体的には、複数のキャリア上のアップリンクチャネルの中で、ランダムアクセスチャネルは最も高い優先度を有し、アップリンク制御チャネルは２番目に高い優先度を有し、ＵＣＩを送信するアップリンク共有チャネルは３番目に高い優先度を有し、ＵＣＩを送信しないアップリンク共有チャネルは４番目に高い優先度を有し、サウンディング基準信号は最も低い優先度を有する。
【０１５４】
別のシナリオでは、シナリオはマルチビームスイーピングに関連する。特に、端末は、時分割方式で複数のビームを使用することによって、複数のランダムアクセスチャネル（Ｒａｎｄｏｍ  Ａｃｃｅｓｓ  Ｃｈａｎｎｅｌ、略して「ＲＡＣＨ」）を送信する。例えば、１０個のＲＡＣＨが例として使用される。２つのキャリア上のアップリンクサブフレームが互いと重複するシナリオでは、最初の６つのＲＡＣＨの送信サブフレームが（ｉ−１）番目のロングサブフレームと重複し、最後の６つのＲＡＣＨの送信サブフレームがｉ番目のロングサブフレームと重複する場合、チャネル送信電力がｉ番目のロングサブフレームおよび重複するショートサブフレームに割り振られるとき、チャネルタイプ間の優先順位では、ＲＡＣＨの優先度はＰＵＣＣＨの優先度よりも低いことがあり、すなわち、ＰＵＣＣＨ＞ＰＲＡＣＨである。
【０１５５】
別のシナリオでは、チャネルに対応するキャリアまたはセルグループ間の優先順位は、１次コンポーネントキャリア上のまたはマスタセルグループにおける任意のアップリンクチャネルの優先度が２次コンポーネントキャリア上のまたは２次セルグループにおける任意のアップリンクチャネルの優先度以上であるということであり得る。
【０１５６】
実装の間、ステップは以下のステップを含み得る。
【０１５７】
アクセスネットワークデバイスは、直ちにスケジュールされるべきデータチャネルのタイプに基づいて対応する優先順位ルールを決定し、アクセスネットワークデバイスは、対応する優先順位ルールを端末に送信する。
【０１５８】
ステップ２：端末は、アクセスネットワークデバイスによって送信された優先順位ルールを受信する。
【０１５９】
特に、端末は、第１のキャリアまたは第２のキャリア上でアクセスネットワークデバイスによって送信された上位レイヤシグナリングまたは物理レイヤシグナリングを受信する。上位レイヤシグナリングまたは物理レイヤシグナリングは、優先順位ルールを含む。優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される。
【０１６０】
ステップ３：端末は、優先順位ルールに従って、Ｍ個の第１のサブフレームにおいて送信され、第１のキャリアによって搬送されるチャネルと、第２のサブフレームにおいて送信され、第２のキャリアによって搬送されるチャネルとの間の優先順位を決定する。
【０１６１】
実装では、端末は最初に、優先順位ルールに従って第１のキャリア上のＭ個の第１のサブフレームから第１のサブフレームを選択し、次いで、第１のサブフレームにおいて送信されるチャネルの優先度と第２のサブフレームにおいて送信されるチャネルの優先度を比較する。
【０１６２】
第１のキャリア上のＭ個の第１のサブフレームから第１のサブフレームを選択することは、Ｍ個の第１のサブフレームから最も高いチャネル優先度を有する第１のサブフレームを選択すること、またはＭ個の第１のサブフレームから最も低いチャネル優先度を有する第１のサブフレームを選択すること、またはＭ個の第１のサブフレームから指定されたチャネル優先度（例えば、２番目に高い優先度）を有する第１のサブフレームを選択することを特に含む。
【０１６３】
２つのアップリンクサブフレームのチャネル優先度が比較されるとき、異なる優先順位ルールによる異なる比較方式がある。
【０１６４】
優先順位ルールが上記の優先順位のうちの１つのみを含む、例えば、チャネルタイプ間の優先順位のみを含むとき、２つのアップリンクサブフレームのチャネルが同じタイプである場合、優先度は同じである。
【０１６５】
優先順位ルールが上記の優先順位のうちの２つ以上を含む、例えば、チャネルタイプ間の優先順位およびチャネルによって搬送されるＵＣＩ間の優先順位を含むとき、２つのアップリンクサブフレームのチャネルが同じタイプである場合、例えば、両方のチャネルがアップリンク制御情報を搬送する場合、チャネルによって搬送されるＵＣＩの優先度が比較される。
【０１６６】
優先順位ルールが取得され、優先順位が決定された後、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得することは、
優先順位に基づいて第１の初期送信電力および第２の初期送信電力を低減して、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力をそれぞれ取得することであって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計は、最大送信電力以下である、取得すること
を含む。
【０１６７】
特に、より低い優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、低減される。
【０１６８】
代替として、異なる優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、異なる低減比（より低い優先度を有するチャネルの低減比は、より高い優先度を有するチャネルの低減比よりも大きい）に従って低減される。
【０１６９】
Ｓ１０４３：端末は、最小保証電力と第１の利用可能な送信電力および第２の利用可能な送信電力のうちの少なくとも１つとに基づいて、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力のうちの少なくとも１つを決定する。ステップＳ１０４３において、端末は、Ｎ個の第１のサブフレームにおいて送信され、第１のキャリアによって搬送されるチャネルのための利用可能な送信電力を以下の方式、すなわち、Ｍａｘｉｍｕｍ｛Ｐ＿ｐｒｉｏｒｉｔｙ，  Ｐ＿ｇｕａｒａｎｔｅｅｄ｝で決定してよく、Ｐ＿ｐｒｉｏｒｉｔｙは、Ｎ個の第１のサブフレームにおいて送信され、第１のキャリアによって搬送されるチャネルのための第１の利用可能な送信電力であり、Ｐ＿ｇｕａｒａｎｔｅｅｄは、最小保証電力である。この場合、第２のサブフレームにおいて送信され、第２のキャリアによって搬送されるチャネルの利用可能な送信電力は、第２の利用可能な送信電力であり得る。
【０１７０】
最大値を取る解決策に加えて、Ｎ個の第１のサブフレームにおいて送信され、第１のキャリアによって搬送されるチャネルのための利用可能な送信電力は、最小値または平均値を取ることによって決定され得る。これは本明細書では限定されない。
【０１７１】
Ｎ個の第１のサブフレームにおいて送信され、第１のキャリアによって搬送されるチャネルのための最終的に取得される利用可能な送信電力、および第２のサブフレームにおいて送信され、第２のキャリアによって搬送されるチャネルの最終的に取得される利用可能な送信電力の合計は、最大送信電力以下であることに留意されたい。
【０１７２】
さらに、方法は、端末によって、Ｎ個の第１のサブフレームにおいて送信され、第１のキャリアによって搬送されるチャネルのための利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの利用可能な送信電力に基づいて、第２のサブフレームにおいて送信され、第２のキャリアによって搬送されるチャネルを送信するステップとをさらに含み得る。
【０１７３】
代替として、Ｎ個の第１のサブフレームにおいて送信され、第１のキャリアによって搬送されるチャネルのための利用可能な送信電力のみがステップＳ１０４３において決定されるとき、方法は、端末によって、Ｎ個の第１のサブフレームにおいて送信され、第１のキャリアによって搬送されるチャネルのための利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの第２の利用可能な送信電力に基づいて、第２のサブフレームにおいて送信され、第２のキャリアによって搬送されるチャネルを送信するステップとをさらに含み得る。
【０１７４】
代替として、第２のサブフレームにおいて送信され、第２のキャリアによって搬送されるチャネルの利用可能な送信電力のみがステップＳ１０４３において決定されるとき、方法は、端末によって、Ｎ個の第１のサブフレームにおいて送信され、第１のキャリアによって搬送されるチャネルのための第１の利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの利用可能な送信電力に基づいて、第２のサブフレームにおいて送信され、第２のキャリアによって搬送されるチャネルを送信するステップとをさらに含み得る。
【０１７５】
本出願では、１つのキャリア上のまたは１つのセルグループにおけるアップリンクサブフレームは別のキャリア上のまたは別のセルグループにおける複数のアップリンクサブフレームと重複し、最小保証電力は重複するエリアにおける最後の部分のために予約され、その結果、重複するエリアの最後の部分における電力要件は２つのキャリアに対するアップリンク電力割振りの間に満たされて、重複するエリアにおける最後の部分のアップリンクサブフレームにおけるデータ送信の性能を保証することができる。これは、アップリンクデータ送信の電力効率およびデータ送信性能の最大化を実装する。
【０１７６】
図７は、本発明の実施形態による電力調整方法を示す。方法は、図１または図２に示されているシステムを使用することによって実装される。方法は以下のステップを含む。
【０１７７】
Ｓ２０１：アクセスネットワークデバイスは、電力調整ファクタを決定する。
【０１７８】
電力調整ファクタは、サブフレームの第１の部分におけるチャネルの利用可能な送信電力とサブフレームの第２の部分におけるチャネルの利用可能な送信電力との間のオフセット値を決定するために使用される。電力調整ファクタは、端末がアップリンクサブフレームにおいてデータを送信するとき、アップリンクサブフレームにおけるデータの送信電力を調整するように特に構成される。特に、端末は、第１の電力を使用することによってアップリンクサブフレームの第１の部分においてアップリンクデータを送信し、次いで、オフセット値および第１の電力に基づく計算によって第２の電力を取得し、第２の電力を使用することによってアップリンクサブフレームの第２の部分においてアップリンクデータを送信する。
【０１７９】
特に、オフセット値は、比率値または差分値であってよい。電力調整ファクタが差分値であるとき、正または負になるようにオフセット値を制御して、第１の電力を増加または低減し、第２の電力を取得する。電力調整ファクタが比率値であるとき、１よりも大きくなるようにまたは１よりも小さくなるように電力値を制御して、第１の電力を増加または低減し、第２の電力を取得する。
【０１８０】
実装の間、電力調整ファクタはセル固有パラメータである。具体的には、電力調整ファクタはセルに基づいて設定され、したがって、電力調整ファクタはセル固有パラメータである。実装の間、ステップＳ２０１は以下のステップを含み得る。アクセスネットワークデバイスは、端末が位置するセルを決定し、アクセスネットワークデバイスは、端末が位置するセルに基づいて、対応する電力調整ファクタを決定する。
【０１８１】
Ｓ２０２：アクセスネットワークデバイスは、電力調整ファクタを端末に送信する。
【０１８２】
実装の間、Ｓ２０２は、アクセスネットワークデバイスによって、上位レイヤシグナリングまたは物理レイヤシグナリングを使用することによって、電力調整ファクタを端末に送信することを含み得る。
【０１８３】
上位レイヤシグナリングはＲＲＣシグナリングであってよく、物理レイヤシグナリングはＤＣＩシグナリングであってよい。
【０１８４】
さらに、物理レイヤシグナリングは１次コンポーネントキャリア（例えば、第２のキャリア）上で送信される物理レイヤシグナリングであるか、または、物理レイヤシグナリングは２次コンポーネントキャリア（例えば、第１のキャリア）上で送信される物理レイヤシグナリングである。例えば、ＤＣＩシグナリングは１次コンポーネントキャリア上で送信されるＤＣＩシグナリングであるか、または、ＤＣＩシグナリングは２次コンポーネントキャリア上で送信されるＤＣＩシグナリングである。
【０１８５】
Ｓ２０３：端末は、アクセスネットワークデバイスによって送信された電力調整ファクタを受信する。
【０１８６】
実装の間、Ｓ２０３は、端末によって、上位レイヤシグナリングまたは物理レイヤシグナリングを使用することによって、アクセスネットワークデバイスによって送信された電力調整ファクタを受信することを含み得る。
【０１８７】
Ｓ２０４：端末は、電力調整ファクタおよびアップリンクサブフレームの第１の部分におけるチャネル上の端末の送信電力に基づいてアップリンクサブフレームの第２の部分におけるチャネル上の端末の送信電力を取得し、アップリンクサブフレームは第１の部分および第２の部分を含み、第２の部分は第１の部分の後に続く。
【０１８８】
電力調整ファクタに基づいて２つの部分の送信電力を決定した後、端末は、２つの決定された送信電力を使用することによってアップリンクサブフレームを送信する。アップリンクサブフレームの２つの部分はシンボルまたはタイムスロットごとの分割によって取得されることがあり、これは本明細書では限定されない。
【０１８９】
本出願では、データ送信の間、アップリンクサブフレームの２つの部分におけるチャネルの送信電力は、電力調整ファクタを使用することによって調整され、その結果、アップリンクサブフレームの２つの部分におけるチャネルの送信電力は、リアルタイムで調整されることができ、アップリンクサブフレームの２つの部分におけるチャネルの電力割振りおよび電力効率は、最大化されることができる。
【０１９０】
以下は、本発明の装置実施形態である。装置実施形態において特に説明されない詳細については、上記の対応する方法実施形態を参照されたい。
【０１９１】
図８は、本出願の実施形態による通信装置のブロック図である。通信装置は、専用ハードウェア回路またはソフトウェアとハードウェアの組合せを使用することによって、端末の全部または一部として実装され得る。通信装置は、決定ユニット８０１、受信ユニット８０２、および処理ユニット８０３を含む。
決定ユニット８０１は、第１の初期送信電力および第２の初期送信電力を決定するように構成される。第１の初期送信電力は、Ｍ個の第１のサブフレームの各々において送信され、第１のキャリアによって搬送されるチャネルの初期送信電力を含む。第２の初期送信電力は、第２のサブフレームにおいて送信され、第２のキャリアによって搬送されるチャネルの初期送信電力である。
受信ユニット８０２は、第１のキャリアによって搬送されるチャネルのものであり、アクセスネットワークデバイスによって送信される最小保証電力情報を受信するように構成される。
処理ユニット８０３は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するように構成される。
第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である。
【０１９２】
処理ユニット８０３は、
第１のキャリアによって搬送されるチャネルの最小保証電力情報に基づいて最小保証電力を取得し、
Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得し、
最小保証電力と第１の利用可能な送信電力および第２の利用可能な送信電力のうちの少なくとも１つとに基づいて、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力のうちの少なくとも１つを決定する
ように構成される。
【０１９３】
任意選択で、処理ユニット８０３は、
優先順位に基づいて第１の初期送信電力および第２の初期送信電力を低減して、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力をそれぞれ取得することであって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計は、最大送信電力以下である、取得すること
を行うように構成される。
【０１９４】
本発明のこの実施形態では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【０１９５】
チャネルタイプ間の優先順位は、以下のうちの少なくとも１つを含む。
【０１９６】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびＳＲＳが共存するとき、ＳＲＳは最も低い優先度を有する。
【０１９７】
任意選択で、受信ユニット８０２は、
第１のキャリアまたは第２のキャリア上でアクセスネットワークデバイスによって送信された上位レイヤシグナリングまたは物理レイヤシグナリングを受信することであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、受信すること
を行うようにさらに構成される。
【０１９８】
任意選択で、受信ユニット８０２は、
第１のキャリアまたは第２のキャリア上でアクセスネットワークデバイスによって送信された第１のシグナリングを受信することであって、第１のシグナリングは、第１のキャリアによって搬送されるチャネルの最小保証電力情報を搬送する上位レイヤシグナリングまたは物理レイヤシグナリングである、受信すること
を行うように構成される。
【０１９９】
第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【０２００】
関連する詳細については、図６において説明される方法実施形態を参照されたい。
【０２０１】
受信ユニット８０２は、受信機によって、または受信機と協調するプロセッサによって実装され得ることに留意されたい。決定ユニット８０１および処理ユニット８０３は各々、プロセッサによって、またはメモリ内のプログラム命令を実行するプロセッサによって実装され得る。
【０２０２】
図９は、本出願の別の実施形態による通信装置のブロック図である。通信装置は、専用ハードウェア回路またはソフトウェアとハードウェアの組合せを使用することによって、アクセスネットワークデバイスの全部または一部として実装され得る。通信装置は、決定ユニット９０１および送信ユニット９０２を含む。決定ユニット９０１は、第１のキャリアによって搬送されるチャネルの最小保証電力情報を決定するように構成される。送信ユニット９０２は、第１のキャリアによって搬送されるチャネルの最小保証電力情報を端末に送信するように構成される。
【０２０３】
特に、送信ユニット９０２は、
第１のキャリアまたは第２のキャリア上で上位レイヤシグナリングまたは物理レイヤシグナリングを端末に送信することであって、上位レイヤシグナリングまたは物理レイヤシグナリングは、第１のキャリアによって搬送されるチャネルの最小保証電力情報を含む、送信すること
を行うように構成される。
【０２０４】
第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【０２０５】
任意選択で、送信ユニット９０２は、
第１のキャリアまたは第２のキャリア上で上位レイヤシグナリングまたは物理レイヤシグナリングを端末に送信することであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、送信すること
を行うようにさらに構成される。
【０２０６】
本発明のこの実施形態では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【０２０７】
チャネルタイプ間の優先順位は、以下のうちの少なくとも１つを含む。
【０２０８】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびＳＲＳが共存するとき、ＳＲＳは最も低い優先度を有する。
【０２０９】
関連する詳細については、図６において説明される方法実施形態を参照されたい。
【０２１０】
決定ユニット９０１は、プロセッサによって、またはメモリ内のプログラム命令を実行するプロセッサによって実装され得ることに留意されたい。送信ユニット９０２は、送信機によって、または送信機と協調するプロセッサによって実装され得る。
【０２１１】
図１０は、本出願の実施形態による通信装置のブロック図である。通信装置は、専用ハードウェア回路またはソフトウェアとハードウェアの組合せを使用することによって、端末の全部または一部として実装され得る。通信装置は、受信ユニット１００１および処理ユニット１００２を含む。
受信ユニット１００１は、アクセスネットワークデバイスによって送信された電力調整ファクタを受信するように構成される。処理ユニット１００２は、電力調整ファクタおよびサブフレームの第１の部分におけるチャネルの利用可能な送信電力に基づいてサブフレームの第２の部分におけるチャネルの利用可能な送信電力を取得するように構成される。
サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【０２１２】
実装では、受信ユニット１００１は、
上位レイヤシグナリングまたは物理レイヤシグナリングを使用することによって、アクセスネットワークデバイスによって送信された電力調整ファクタを受信する
ように構成される。
【０２１３】
電力調整ファクタはセル固有パラメータである。
【０２１４】
関連する詳細については、図７において説明される方法実施形態を参照されたい。
【０２１５】
受信ユニット１００１は、受信機によって、または受信機と協調するプロセッサによって実装され得ることに留意されたい。処理ユニット１００２は、プロセッサによって、またはメモリ内のプログラム命令を実行するプロセッサによって実装され得る。
【０２１６】
図１１は、本出願の実施形態による通信装置のブロック図である。メッセージ送信装置は、専用ハードウェア回路またはソフトウェアとハードウェアの組合せを使用することによって、アクセスネットワークデバイスの全部または一部として実装され得る。通信装置は、決定ユニット１１０１および送信ユニット１１０２を含む。決定ユニット１１０１は、電力調整ファクタを決定するように構成される。送信ユニット１１０２は、電力調整ファクタを端末に送信することであって、電力調整ファクタは、電力調整ファクタおよびサブフレームの第１の部分におけるチャネルの利用可能な送信電力に基づいてサブフレームの第２の部分におけるチャネルの利用可能な送信電力を取得するために端末によって使用される、送信することを行うように構成される。サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【０２１７】
実装では、送信ユニット１１０２は、
上位レイヤシグナリングまたは物理レイヤシグナリングを使用することによって、電力調整ファクタを端末に送信する
ように構成される。
【０２１８】
電力調整ファクタはセル固有パラメータである。
【０２１９】
関連する詳細については、図７において説明される方法実施形態を参照されたい。
【０２２０】
決定ユニット１１０１は、プロセッサによって、またはメモリ内のプログラム命令を実行するプロセッサによって実装され得ることに留意されたい。送信ユニット１１０２は、送信機によって、または送信機と協調するプロセッサによって実装され得る。
【０２２１】
図１２は、本出願の実施形態による通信チップの構造図である。通信チップは、上記のアクセスネットワークデバイスまたは端末などのモバイル通信システムデバイスに適用される。通信チップは、プロセッサ１２１０、メモリ１２２０、および通信インターフェース１２３０を含む。プロセッサ１２１０は、バスを使用することによって、メモリ１２２０と通信インターフェース１２３０の両方に接続される。
【０２２２】
通信インターフェース１２３０は、別の通信デバイスとの通信を実装するように構成される。
【０２２３】
プロセッサ１２１０は、１つまたは複数の処理コアを含む。プロセッサ１２１０は、オペレーティングシステムまたはアプリケーションプログラムモジュールを実行する。
【０２２４】
任意選択で、メモリ１２２０は、少なくとも１つの機能によって必要とされるオペレーティングシステム１２２２およびアプリケーションプログラムモジュール１２２４を記憶し得る。任意選択で、アプリケーションプログラムモジュール１２２４は、受信モジュール１２２４ａ、処理モジュール１２２４ｂ、および送信モジュール１２２４ｃを含む。受信モジュール１２２４ａは、受信関連ステップを実装するように構成される。処理モジュール１２２４ｂは、計算関連または処理関連ステップを実装するように構成される。送信モジュール１２２４ｃは、送信関連ステップを実装するように構成される。
【０２２５】
加えて、メモリ１２２０は、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク、または光ディスクなどの、任意のタイプの揮発性もしくは不揮発性記憶デバイスまたはそれらの組合せによって実装され得る。
【０２２６】
図１２に示されている構造は、通信チップに対するいかなる限定ともならず、通信チップは、図に示されているものよりも多いもしくは少ない構成要素、いくつかの構成要素の組合せ、または別様に配設された構成要素を含み得ることを当業者は理解し得る。
【０２２７】
実施形態のステップのすべてまたはいくつかはハードウェアまたは関連するハードウェアに命令するプログラムによって実装され得ることを当業者は理解し得る。プログラムはコンピュータ可読記憶媒体に記憶され得る。記憶媒体は、読取り専用メモリ、磁気ディスク、または光ディスクを含み得る。
【０２２８】
上記の説明は本出願の任意選択の実施形態にすぎず、本出願を限定するものではない。本出願の趣旨および原理から逸脱することなく行われるいかなる修正、等価な置換、または改善も、本出願の保護範囲内に入るものとする。
【図１】
2019536351.tif 000003
【図２】
2019536351.tif 000004
【図３】
2019536351.tif 000005
【図４】
2019536351.tif 000006
【図５】
2019536351.tif 000007
【図６】
2019536351.tif 000008
【図６Ａ】
2019536351.tif 000009
【図７】
2019536351.tif 000010
【図８】
2019536351.tif 000011
【図９】
2019536351.tif 000012
【図１０】
2019536351.tif 000013
【図１１】
2019536351.tif 000014
【図１２】
2019536351.tif 000015
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
電力割振り方法であって、
端末によって、第１の初期送信電力および第２の初期送信電力を決定するステップであって、前記第１の初期送信電力は、Ｍ個の第１のサブフレームの各々において送信され、第１のキャリアによって搬送されるチャネルの初期送信電力を備え、前記第２の初期送信電力は、第２のサブフレームにおいて送信され、第２のキャリアによって搬送されるチャネルの初期送信電力である、ステップと、
前記端末によって、前記第１のキャリアによって搬送されるチャネルのものであり、アクセスネットワークデバイスによって送信される最小保証電力情報を受信するステップと、
前記第１の初期送信電力のいずれかおよび前記第２の初期送信電力の合計が前記端末の最大送信電力よりも大きいとき、前記端末によって、Ｎ個の第１のサブフレームにおいて送信され、前記第１のキャリアによって搬送されるチャネルのための利用可能な送信電力、および前記第２のサブフレームにおいて送信され、前記第２のキャリアによって搬送される前記チャネルの利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するステップであって、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、ステップと
を備える方法。
【請求項２】
前記端末によって、Ｎ個の第１のサブフレームにおいて送信され、前記第１のキャリアによって搬送されるチャネルのための利用可能な送信電力、および前記第２のサブフレームにおいて送信され、前記第２のキャリアによって搬送される前記チャネルの利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得する前記ステップは、
前記端末によって、前記第１のキャリアによって搬送される前記チャネルの前記最小保証電力情報に基づいて最小保証電力を取得するステップと、
前記端末によって、前記Ｎ個の第１のサブフレームにおいて送信され、前記第１のキャリアによって搬送される前記チャネルのための第１の利用可能な送信電力、および前記第２のサブフレームにおいて送信され、前記第２のキャリアによって搬送される前記チャネルの第２の利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位に基づいて取得するステップと、
前記端末によって、前記最小保証電力と前記第１の利用可能な送信電力または前記第２の利用可能な送信電力のうちの少なくとも１つとに基づいて、前記Ｎ個の第１のサブフレームにおいて送信され、前記第１のキャリアによって搬送される前記チャネルのための前記利用可能な送信電力、および前記第２のサブフレームにおいて送信され、前記第２のキャリアによって搬送される前記チャネルの前記利用可能な送信電力のうちの少なくとも１つを決定するステップと
を備える請求項１に記載の方法。
【請求項３】
前記端末によって、前記Ｎ個の第１のサブフレームにおいて送信され、前記第１のキャリアによって搬送される前記チャネルのための第１の利用可能な送信電力、および前記第２のサブフレームにおいて送信され、前記第２のキャリアによって搬送される前記チャネルの第２の利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位に基づいて取得する前記ステップは、
前記優先順位に基づいて前記第１の初期送信電力および前記第２の初期送信電力を低減して、前記Ｎ個の第１のサブフレームにおいて送信され、前記第１のキャリアによって搬送される前記チャネルのための前記第１の利用可能な送信電力、および前記第２のサブフレームにおいて送信され、前記第２のキャリアによって搬送される前記チャネルの前記第２の利用可能な送信電力をそれぞれ取得するステップであって、前記Ｎ個の第１のサブフレームの各々において送信され、前記第１のキャリアによって搬送される前記チャネルの前記第１の利用可能な送信電力、および前記第２のサブフレームにおいて送信され、前記第２のキャリアによって搬送される前記チャネルの前記第２の利用可能な送信電力の合計は、前記最大送信電力以下である、ステップ
を備える請求項２に記載の方法。
【請求項４】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、またはチャネルに対応するキャリア間の優先順位のうちの少なくとも１つを備える請求項１乃至３のいずれか一項に記載の方法。
【請求項５】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、アップリンク制御情報ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびサウンディング基準信号ＳＲＳが共存するとき、前記ＳＲＳは最も低い優先度を有する、
のうちの少なくとも１つを備える請求項４に記載の方法。
【請求項６】
電力割振り方法であって、
アクセスネットワークデバイスによって、第１のキャリアによって搬送されるチャネルの最小保証電力情報を決定するステップと、
前記アクセスネットワークデバイスによって、前記第１のキャリアによって搬送される前記チャネルの前記最小保証電力情報を端末に送信するステップであって、前記最小保証電力情報は、第１の初期送信電力のいずれかおよび第２の初期送信電力の合計が前記端末の最大送信電力よりも大きいとき、Ｎ個の第１のサブフレームにおいて送信され、前記第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、前記第１のキャリアによって搬送されるチャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するために前記端末によって使用され、前記第１の初期送信電力は、前記Ｍ個の第１のサブフレームの各々において送信され、前記第１のキャリアによって搬送される前記チャネルの初期送信電力を備え、前記第２の初期送信電力は、前記第２のサブフレームにおいて送信され、前記第２のキャリアによって搬送される前記チャネルの初期送信電力であり、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、ステップと
を備える方法。
【請求項７】
前記アクセスネットワークデバイスによって、前記第１のキャリアによって搬送される前記チャネルの最小保証電力情報を端末に送信する前記ステップは、
前記アクセスネットワークデバイスによって、前記第１のキャリアまたは前記第２のキャリア上で上位レイヤシグナリングまたは物理レイヤシグナリングを前記端末に送信するステップであって、前記上位レイヤシグナリングまたは前記物理レイヤシグナリングは、前記第１のキャリアによって搬送される前記チャネルの前記最小保証電力情報を備える、ステップ
を備える請求項６に記載の方法。
【請求項８】
前記第１のキャリア上で送信される第１のシグナリングの送信サブフレームは、前記第２のキャリア上で送信される第２のシグナリングの送信サブフレームと重複し、前記第２のシグナリングは、前記第２のサブフレームにおいて前記第２のキャリアによって搬送される前記チャネルの電力割振り情報を搬送する請求項７に記載の方法。
【請求項９】
前記方法は、
前記アクセスネットワークデバイスによって、前記第１のキャリアまたは前記第２のキャリア上で前記上位レイヤシグナリングまたは前記物理レイヤシグナリングを前記端末に送信するステップであって、前記上位レイヤシグナリングまたは前記物理レイヤシグナリングは、優先順位ルールを備え、前記優先順位ルールは、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位を決定するために使用される、ステップ
をさらに備える請求項６乃至８のいずれか一項に記載の方法。
【請求項１０】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、またはチャネルに対応するキャリア間の優先順位のうちの少なくとも１つを備える請求項９に記載の方法。
【請求項１１】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびＳＲＳが共存するとき、前記ＳＲＳは最も低い優先度を有する、
のうちの少なくとも１つを備える請求項１０に記載の方法。
【請求項１２】
端末であって、
第１の初期送信電力および第２の初期送信電力を決定するように構成された決定ユニットであって、前記第１の初期送信電力は、Ｍ個の第１のサブフレームの各々において送信され、第１のキャリアによって搬送されるチャネルの初期送信電力を備え、前記第２の初期送信電力は、第２のサブフレームにおいて送信され、第２のキャリアによって搬送されるチャネルの初期送信電力である、決定ユニットと、
前記第１のキャリアによって搬送されるチャネルのものであり、アクセスネットワークデバイスによって送信される最小保証電力情報を受信するように構成された受信ユニットと、
前記第１の初期送信電力のいずれかおよび前記第２の初期送信電力の合計が前記端末の最大送信電力よりも大きいとき、Ｎ個の第１のサブフレームにおいて送信され、前記第１のキャリアによって搬送されるチャネルのための利用可能な送信電力、および前記第２のサブフレームにおいて送信され、前記第２のキャリアによって搬送される前記チャネルの利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するように構成された処理ユニットであって、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、処理ユニットと
を備える端末。
【請求項１３】
前記処理ユニットは、
前記第１のキャリアによって搬送される前記チャネルの前記最小保証電力情報に基づいて最小保証電力を取得し、
前記Ｎ個の第１のサブフレームにおいて送信され、前記第１のキャリアによって搬送される前記チャネルのための第１の利用可能な送信電力、および前記第２のサブフレームにおいて送信され、前記第２のキャリアによって搬送される前記チャネルの第２の利用可能な送信電力を、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位に基づいて取得し、
前記最小保証電力と前記第１の利用可能な送信電力または前記第２の利用可能な送信電力のうちの少なくとも１つとに基づいて、前記Ｎ個の第１のサブフレームにおいて送信され、前記第１のキャリアによって搬送される前記チャネルのための前記利用可能な送信電力、および前記第２のサブフレームにおいて送信され、前記第２のキャリアによって搬送される前記チャネルの前記利用可能な送信電力のうちの少なくとも１つを決定する
ように構成される請求項１２に記載の端末。
【請求項１４】
前記処理ユニットは、
前記優先順位に基づいて前記第１の初期送信電力および前記第２の初期送信電力を低減して、前記Ｎ個の第１のサブフレームにおいて送信され、前記第１のキャリアによって搬送される前記チャネルのための前記第１の利用可能な送信電力、および前記第２のサブフレームにおいて送信され、前記第２のキャリアによって搬送される前記チャネルの前記第２の利用可能な送信電力をそれぞれ取得することであって、前記Ｎ個の第１のサブフレームにおいて送信され、前記第１のキャリアによって搬送される前記チャネルのための前記第１の利用可能な送信電力、および前記第２のサブフレームにおいて送信され、前記第２のキャリアによって搬送される前記チャネルの前記第２の利用可能な送信電力の合計は、前記最大送信電力以下である、取得すること
を行うように構成される請求項１３に記載の端末。
【請求項１５】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、およびチャネルに対応するキャリア間の優先順位のうちの少なくとも１つを備える請求項１２乃至１４のいずれか一項に記載の端末。
【請求項１６】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびＳＲＳが共存するとき、前記ＳＲＳは最も低い優先度を有する、
のうちの少なくとも１つを備える請求項１５に記載の端末。
【請求項１７】
アクセスネットワークデバイスであって、
第１のキャリアによって搬送されるチャネルの最小保証電力情報を決定するように構成された決定ユニットと、
前記第１のキャリアによって搬送される前記チャネルの前記最小保証電力情報を端末に送信するように構成された送信ユニットであって、前記最小保証電力情報は、第１の初期送信電力のいずれかおよび第２の初期送信電力の合計が前記端末の最大送信電力よりも大きいとき、Ｎ個の第１のサブフレームにおいて送信され、前記第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、前記第１のキャリアによって搬送されるチャネルと、前記第２のサブフレームにおいて送信され、前記第２のキャリアによって搬送される前記チャネルとの間の優先順位に基づいて、および前記第１のキャリアによって搬送される前記チャネルの前記最小保証電力情報に基づいて取得するために前記端末によって使用され、前記第１の初期送信電力は、前記Ｍ個の第１のサブフレームの各々において送信され、前記第１のキャリアによって搬送される前記チャネルの初期送信電力を備え、前記第２の初期送信電力は、前記第２のサブフレームにおいて送信され、前記第２のキャリアによって搬送される前記チャネルの初期送信電力であり、前記第２のキャリア上の前記第２のサブフレームは、前記第１のキャリア上の前記Ｎ個の第１のサブフレームと重複し、前記Ｍ個の第１のサブフレームは、前記Ｎ個の第１のサブフレームのうちの最初のＭ個の第１のサブフレームであり、ＮはＭよりも大きく、ＭおよびＮは正の整数である、送信ユニットと
を備えるアクセスネットワークデバイス。
【請求項１８】
前記送信ユニットは、
前記第１のキャリアまたは前記第２のキャリア上で上位レイヤシグナリングまたは物理レイヤシグナリングを前記端末に送信することであって、前記上位レイヤシグナリングまたは前記物理レイヤシグナリングは、前記第１のキャリアによって搬送される前記チャネルの前記最小保証電力情報を備える、送信することを行うように構成される請求項１７に記載のアクセスネットワークデバイス。
【請求項１９】
前記第１のキャリア上で送信される第１のシグナリングの送信サブフレームは、前記第２のキャリア上で送信される第２のシグナリングの送信サブフレームと重複し、前記第２のシグナリングは、前記第２のサブフレームにおいて前記第２のキャリアによって搬送される前記チャネルの電力割振り情報を搬送する請求項１８に記載のアクセスネットワークデバイス。
【請求項２０】
前記送信ユニットは、
前記第１のキャリアまたは前記第２のキャリア上で前記上位レイヤシグナリングまたは前記物理レイヤシグナリングを前記端末に送信することであって、前記上位レイヤシグナリングまたは前記物理レイヤシグナリングは、優先順位ルールを備え、前記優先順位ルールは、前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位を決定するために使用される、送信することを行うようにさらに構成される請求項１７乃至１９のいずれか一項に記載のアクセスネットワークデバイス。
【請求項２１】
前記Ｍ個の第１のサブフレームにおいて送信され、前記第１のキャリアによって搬送される前記チャネルと、前記第２のサブフレームにおいて送信され、前記第２のキャリアによって搬送される前記チャネルとの間の前記優先順位は、チャネルタイプ間の優先順位、チャネルによって搬送されるＵＣＩ間の優先順位、およびチャネルに対応するキャリア間の優先順位のうちの少なくとも１つを備える請求項２０に記載のアクセスネットワークデバイス。
【請求項２２】
チャネルタイプ間の前記優先順位は、
物理ランダムアクセスチャネルＰＲＡＣＨがあるとき、前記ＰＲＡＣＨは最も高い優先度を有する、
物理アップリンク制御チャネルＰＵＣＣＨおよび物理アップリンク共有チャネルＰＵＳＣＨが共存するとき、前記ＰＵＣＣＨの優先度は、前記ＰＵＳＣＨの優先度よりも高い、もしくは、前記ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送する前記ＰＵＳＣＨの優先度は、ＵＣＩを搬送しない前記ＰＵＳＣＨの優先度よりも高い、または
ＰＲＡＣＨ、ＰＵＣＣＨ、ＰＵＳＣＨ、およびＳＲＳが共存するとき、前記ＳＲＳは最も低い優先度を有する、
のうちの少なくとも１つを備える請求項２１に記載のアクセスネットワークデバイス。
【手続補正２】
【補正対象書類名】明細書
【補正対象項目名】全文
【補正方法】変更
【補正の内容】
【発明の詳細な説明】
【技術分野】
【０００１】
本出願は、通信技術の分野に関し、詳細には、電力割振り方法、電力調整方法、端末、およびアクセスネットワークデバイスに関する。
【背景技術】
【０００２】
ロングタームエボリューションアドバンスト（ＬＴＥ−Ａ）システムは、第３世代パートナーシッププロジェクト（３ＧＰＰ）ロングタームエボリューション（ＬＴＥ）システムの発展拡張型（evolved and enhanced）システムである。ＬＴＥ−Ａシステムでは、第４世代通信技術のピークデータレートに関する国際電気通信連合の要件を満たすために、スペクトルアグリゲーション技術または帯域幅拡張技術とも呼ばれるキャリアアグリゲーション（ＣＡ）技術が導入される。キャリアアグリゲーションでは、２つ以上のコンポーネントキャリアのスペクトルがアグリゲートされて、より大きい送信帯域幅を取得する。
【０００３】
キャリアアグリゲーションシナリオでは、異なるキャリア上のアップリンクサブフレームは互いと重複する。この現象は、主に以下の２つの場合において生じる（２つのキャリアはすべての以下の説明において例として使用され、複数のキャリアが実際に含まれ得る）。
【０００４】
場合１：第１のキャリア上のアップリンクサブフレームの長さと第２のキャリア上のアップリンクサブフレームの長さとの間に比較的大きい差があり、その結果、第２のキャリア上の１つのアップリンクサブフレームは、第１のキャリア上の複数のアップリンクサブフレームに対応している。特に、５Ｇ高周波数シナリオでは、最小送信時間粒度（言い換えれば、データ送信の最小時間単位）は異なるキャリア上で異なる。例えば、２８ＧＨｚの高周波数におけるサブフレームの長さは０．３ｍｓであり、２ＧＨｚの低周波数におけるサブフレームの長さは１ｍｓに設定されることがあり、したがって、１つの低周波数サブフレームは複数の高周波数サブフレームに対応している。
【０００５】
場合２：第１のキャリア上のアップリンクサブフレームおよび第２のキャリア上のアップリンクサブフレームは、近似の長さまたは同一の長さを有する。しかしながら、第１のキャリア上のアップリンクサブフレームの開始時間および第２のキャリア上のアップリンクサブフレームの開始時間は異なり、したがって、第１のキャリア上のアップリンクサブフレームと第２のキャリア上のアップリンクサブフレームとの間にロケーションオフセットがある。したがって、第２のキャリア上の１つのアップリンクサブフレームは、第１のキャリア上の２つのアップリンクサブフレームと重複する。特に、２つのキャリアは２つのタイミングアドバンスグループ（ＴＡＧ）に属し、２つのキャリア上のアップリンク送信チャネルは異なるタイミングアドバンスを有する。したがって、２つのキャリア上のアップリンクサブフレームは異なる開始時間を有し、互いと重複する。
【０００６】
２つのキャリア上のアップリンクサブフレームにおいてアップリンクデータを送信する前に、端末は、対応するアップリンクサブフレームのチャネルに電力を割り振る必要がある。通常、電力割振り方法では、各アップリンクサブフレームによって必要とされるチャネル送信電力（言い換えれば、アップリンクサブフレームにおいて送信されるチャネルの送信電力）は、ダウンリンク制御情報（ＤＣＩ）に基づいて決定され、次いで、２つのキャリア上の重複するアップリンクサブフレームにおける各チャネルの送信電力は、２つのキャリア上の重複するアップリンクサブフレームにおけるチャネルの優先度に基づいて決定される。特に、電力割振りの前に、端末は、それぞれ２つのキャリアに対応する２個のＤＣＩを取得し得る。第２のキャリアの場合、アップリンクサブフレームにおける、電力が割り振られる必要がある、送信されるべきチャネルについての電力割振り情報などを含む情報は、第２のキャリアに対応するＤＣＩに基づいて決定されることができる。第１のキャリアの場合、第２のキャリアに対応するＤＣＩが取得されるとき、第２のキャリア上のアップリンクサブフレームと重複する第１のキャリア上の最初のいくつかの（または１つの）アップリンクサブフレームにおけるチャネルについての情報のみが取得されることができるが、第１のキャリア上の最後のいくつかの（または１つの）アップリンクサブフレームにおけるチャネルについての情報は含まれない。したがって、電力が２つのキャリア上の重複するアップリンクサブフレームにおけるチャネルの優先度に基づいて割り振られるとき、２つのキャリア上で重複する最後のいくつかの（または１つの）アップリンクサブフレームにおける第１のキャリアによって必要とされるチャネル送信電力は考慮されることができない。
【０００７】
上記の理由により、上記の解決策に従って割り振られる電力は、第１のキャリア上の最後のいくつかの（または１つの）アップリンクサブフレームにおけるチャネルの送信電力要件を満たさないことがある。
【０００８】
加えて、第２のキャリア上の１つのアップリンクサブフレーム（ロングサブフレーム）が第１のキャリア上の複数のアップリンクサブフレーム（ショートサブフレーム）と重複するシナリオでは、ショートサブフレームのうちの１つは、おそらく比較的大きい電力を必要とし、したがって、ロングサブフレーム全体の電力割振り要件は、事実上満たされることができない。
【発明の概要】
【発明が解決しようとする課題】
【０００９】
第１のキャリア上のアップリンクサブフレームが第２のキャリア上のアップリンクサブフレームと重複するときの不適切な電力割振りの従来技術の問題を解決するために、本発明の実施形態は、電力割振り方法、電力調整方法、端末、およびアクセスネットワークデバイスを提供する。技術的解決策は以下の通りである。
【課題を解決するための手段】
【００１０】
第１の態様によれば、本発明の実施形態は、電力割振り方法を提供する。方法は、
端末によって、第１の初期送信電力および第２の初期送信電力を決定するステップであって、第１の初期送信電力は、Ｍ個の第１のサブフレームの各々において送信され、第１のキャリアによって搬送されるチャネルの初期送信電力を含み、第２の初期送信電力は、第２のサブフレームにおいて送信され、第２のキャリアによって搬送されるチャネルの初期送信電力である、ステップと、
端末によって、第１のキャリアによって搬送されるチャネルのものであり、アクセスネットワークデバイスによって送信される最小保証電力情報を受信するステップと、
第１の初期送信電力のいずれかおよび第２の初期送信電力の合計が端末の最大送信電力よりも大きいとき、端末によって、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するステップであって、第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である、ステップと
を含む。
【００１１】
本出願では、１つのキャリア上のアップリンクサブフレームが別のキャリア上の複数のアップリンクサブフレームと重複するとき、最小保証電力は重複するエリアの最後の部分のために予約され、その結果、重複するエリアの最後の部分における電力要件は２つのキャリアに対するアップリンク電力割振りの間に満たされて、重複するエリアの最後の部分のアップリンクサブフレームにおけるデータ送信の性能を保証することができる。これは、アップリンクデータ送信の電力効率およびデータ送信性能の最大化を実装する。
【００１２】
第１の態様の第１の可能な実装では、端末によって、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するステップは、
端末によって、第１のキャリアによって搬送されるチャネルの最小保証電力情報に基づいて最小保証電力を取得するステップと、
端末によって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得するステップと、
端末によって、最小保証電力と第１の利用可能な送信電力および第２の利用可能な送信電力のうちの少なくとも１つとに基づいて、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力のうちの少なくとも１つを決定するステップと
を含む。
【００１３】
実装では、第１の利用可能な送信電力および第２の利用可能な送信電力は最初に、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて決定されて、電力が好ましくはより高い優先度を有するチャネルに割り振られることを保証する。上記のステップが完了した後、電力は、第１の利用可能な送信電力、第２の利用可能な送信電力、および最小保証電力に基づいて再び割り振られて、Ｎ個の第１のサブフレームにおいて送信され、第１のキャリアによって搬送されるチャネルのための適切な電力を保証する。
【００１４】
第１の可能な実装に関して、第１の態様の第２の可能な実装では、端末によって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得するステップは、
優先順位に基づいて第１の初期送信電力および第２の初期送信電力を低減して、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力をそれぞれ取得するステップであって、Ｎ個の第１のサブフレームの各々において送信され、第１のキャリアによって搬送されるチャネルの第１の利用可能な送信電力、および第２のサブフレームにおいて送信され、第２のキャリアによって搬送されるチャネルの第２の利用可能な送信電力の合計は、最大送信電力以下である、ステップ
を含む。
【００１５】
実装では、第１の初期送信電力および第２の初期送信電力は、優先順位に基づいて低減されて、２つのキャリアのチャネルに最終的に割り振られる送信電力の合計が端末の最大送信電力を超えないことを保証する。
【００１６】
特に、より低い優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、低減される。
【００１７】
代替として、異なる優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、異なる低減比（より低い優先度を有するチャネルの低減比は、より高い優先度を有するチャネルの低減比よりも大きい）に従って低減される。
【００１８】
第１の態様または第１の態様の第１のもしくは第２の可能な実装に関して、第１の態様の第３の可能な実装では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【００１９】
実装では、優先順位は、異なる組合せ方式を含み、その結果、端末は、異なるシナリオにおいて異なる優先順位方式で電力を割り振ることができる。
【００２０】
第３の可能な実装に関して、第１の態様の第４の可能な実装では、チャネルタイプ間の優先順位は、以下のうちの少なくとも１つを含む。
【００２１】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびサウンディング基準信号ＳＲＳが共存するとき、ＳＲＳは最も低い優先度を有する。
【００２２】
特に、チャネルによって搬送されるＵＣＩ間の優先順位は、以下のうちの少なくとも１つを含む。
【００２３】
チャネル状態情報およびスケジューリング要求が共存するとき、チャネル状態情報の優先度はスケジューリング要求の優先度よりも低い、または
ハイブリッド自動再送要求情報およびスケジューリング要求が共存するとき、ハイブリッド自動再送要求情報の優先度はスケジューリング要求の優先度以上である。
【００２４】
特に、チャネルに対応するキャリア間の優先順位は、以下のうちの少なくとも１つを含む。
【００２５】
キャリアのインデックス番号に基づいて決定される優先順位、上位レイヤにおいて構成されるキャリアの優先順位、キャリアの複信方式に基づいて決定される優先順位、キャリアの無線リソース制御ＲＲＣ接続状態に基づいて決定される優先順位、およびキャリアに対応する送信ポイントに基づいて決定される優先順位。
【００２６】
キャリアのＲＲＣ接続状態に基づいて決定される優先順位は、以下のうちの少なくとも１つを含む。
【００２７】
ＲＲＣ接続をサポートするキャリアの優先度は、ＲＲＣ接続をサポートしないキャリアの優先度よりも高い、および
ＲＲＣ情報を搬送するキャリアの優先度は、ＲＲＣ情報を搬送しないキャリアの優先度よりも高い。
【００２８】
実装では、チャネルタイプ間の優先順位は、異なる組合せ方式を含み、その結果、端末は、異なるシナリオにおいてチャネルタイプの異なる優先順位方式で電力を割り振ることができる。
【００２９】
第１の態様または第１の態様の第１のもしくは第２の可能な実装に関して、第１の態様の第５の可能な実装では、方法は、
端末によって、第１のキャリアまたは第２のキャリア上でアクセスネットワークデバイスによって送信された上位レイヤシグナリングまたは物理レイヤシグナリングを受信するステップであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、ステップ
をさらに含む。
【００３０】
実装では、アクセスネットワークデバイスは、第１のキャリアまたは第２のキャリア上で送信される上位レイヤシグナリングまたは物理レイヤシグナリングを使用することによって優先順位ルールを端末に送信して、端末が優先順位ルールに従って電力割振りを成功裏に完了することができることを保証する。
【００３１】
上位レイヤシグナリングは無線リソース制御シグナリングであってよく、物理レイヤシグナリングはダウンリンク制御情報シグナリングであってよい。
【００３２】
第１の態様または第１の態様の第１のもしくは第２の可能な実装に関して、第１の態様の第６の可能な実装では、端末によって、第１のキャリアによって搬送されるチャネルのものであり、アクセスネットワークデバイスによって送信される最小保証電力情報を受信するステップは、
端末によって、第１のキャリアまたは第２のキャリア上でアクセスネットワークデバイスによって送信された第１のシグナリングを受信するステップであって、第１のシグナリングは、第１のキャリアによって搬送されるチャネルの最小保証電力情報を搬送する上位レイヤシグナリングまたは物理レイヤシグナリングである、ステップ
を含む。
【００３３】
実装では、アクセスネットワークデバイスは、第１のキャリアまたは第２のキャリア上で送信されるシグナリングを使用することによって最小保証電力情報を端末に送信して、端末が最小保証電力情報に基づいて電力割振りを成功裏に完了することができることを保証する。
【００３４】
第６の可能な実装に関して、第１の態様の第７の可能な実装では、第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【００３５】
実装では、最小保証電力情報を送信するために使用される第１のシグナリングは、第２のサブフレームにおいて第２のキャリアによって搬送されるチャネルの電力割振り情報を搬送する第２のシグナリングと重複して、電力割振りが開始するときに端末が最小保証電力情報を取得することができることを保証する。
【００３６】
任意選択で、方法は、端末によって、Ｎ個の第１のサブフレームにおいて送信され、第１のキャリアによって搬送されるチャネルのための利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの利用可能な送信電力に基づいて、第２のサブフレームにおいて送信され、第２のキャリアによって搬送されるチャネルを送信するステップとをさらに含み得る。
【００３７】
第２の態様によれば、本発明の実施形態は、電力調整方法を提供する。方法は、
端末によって、アクセスネットワークデバイスによって送信された電力調整ファクタを受信するステップと、
端末によって、電力調整ファクタおよびサブフレームの第１の部分におけるチャネルの利用可能な送信電力に基づいてサブフレームの第２の部分におけるチャネルの利用可能な送信電力を取得するステップであって、サブフレームは第１の部分および第２の部分を含み、第２の部分は第１の部分の後に続き、電力調整ファクタは、サブフレームの第１の部分におけるチャネルの利用可能な送信電力とサブフレームの第２の部分におけるチャネルの利用可能な送信電力との間のオフセット値を決定するために使用される、ステップと
を含む。
【００３８】
本出願では、データ送信の間、サブフレームの２つの部分におけるチャネルの送信電力は、電力調整ファクタを使用することによって調整され、その結果、サブフレームにおけるチャネルの送信電力は、リアルタイムで調整されることができ、サブフレームにおけるチャネルの電力割振りおよび電力効率は、最大化されることができる。
【００３９】
オフセット値は、比率値または差分値であってよい。電力調整ファクタが差分値であるとき、正または負になるようにオフセット値を制御して、第１の電力を増加または低減し、第２の電力を取得する。電力調整ファクタが比率値であるとき、１よりも大きくなるようにまたは１よりも小さくなるように電力値を制御して、第１の電力を増加または低減し、第２の電力を取得する。
【００４０】
第２の態様の第１の可能な実装では、端末によって、アクセスネットワークデバイスによって送信された電力調整ファクタを受信するステップは、
端末によって、上位レイヤシグナリングまたは物理レイヤシグナリングを使用することによって、アクセスネットワークデバイスによって送信された電力調整ファクタを受信するステップ
を含む。
【００４１】
上位レイヤシグナリングはＲＲＣシグナリングであってよく、物理レイヤシグナリングはＤＣＩシグナリングであってよい。
【００４２】
第２の態様または第２の態様の第１の可能な実装に関して、第２の態様の第２の可能な実装では、電力調整ファクタはセル固有パラメータである。
【００４３】
第３の態様によれば、本発明の実施形態は、電力割振り方法を提供する。方法は、
アクセスネットワークデバイスによって、第１のキャリアによって搬送されるチャネルの最小保証電力情報を決定するステップと、
アクセスネットワークデバイスによって、第１のキャリアによって搬送されるチャネルの最小保証電力情報を端末に送信するステップであって、最小保証電力情報は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するために端末によって使用され、第１の初期送信電力は、Ｍ個の第１のサブフレームの各々において送信され、第１のキャリアによって搬送されるチャネルの初期送信電力を含み、第２の初期送信電力は、第２のサブフレームにおいて送信され、第２のキャリアによって搬送されるチャネルの初期送信電力であり、第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である、ステップと
を含む。
【００４４】
第３の態様の第１の可能な実装では、アクセスネットワークデバイスによって、第１のキャリアによって搬送されるチャネルの最小保証電力情報を端末に送信するステップは、
アクセスネットワークデバイスによって、第１のキャリアまたは第２のキャリア上で上位レイヤシグナリングまたは物理レイヤシグナリングを端末に送信するステップであって、上位レイヤシグナリングまたは物理レイヤシグナリングは、第１のキャリアによって搬送されるチャネルの最小保証電力情報を含む、ステップ
を含む。
【００４５】
第１の可能な実装に関して、第３の態様の第２の可能な実装では、第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【００４６】
第３の態様または第３の態様の第１のもしくは第２の可能な実装に関して、第３の態様の第３の可能な実装では、方法は、
アクセスネットワークデバイスによって、第１のキャリアまたは第２のキャリア上で上位レイヤシグナリングまたは物理レイヤシグナリングを端末に送信するステップであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、ステップ
をさらに含む。
【００４７】
第３の可能な実装に関して、第３の態様の第４の可能な実装では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【００４８】
第４の可能な実装に関して、第３の態様の第５の可能な実装では、チャネルタイプ間の優先順位は、以下のうちの少なくとも１つを含む。
【００４９】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびＳＲＳが共存するとき、ＳＲＳは最も低い優先度を有する。
【００５０】
第４の態様によれば、本発明の実施形態は、電力調整方法を提供する。方法は、
アクセスネットワークデバイスによって、電力調整ファクタを決定するステップと、
アクセスネットワークデバイスによって、電力調整ファクタを端末に送信するステップであって、電力調整ファクタは、電力調整ファクタおよびサブフレームの第１の部分におけるチャネルの利用可能な送信電力に基づいてサブフレームの第２の部分におけるチャネルの利用可能な送信電力を取得するために端末によって使用され、サブフレームは第１の部分および第２の部分を含み、第２の部分は第１の部分の後に続き、電力調整ファクタは、サブフレームの第１の部分におけるチャネルの利用可能な送信電力とサブフレームの第２の部分におけるチャネルの利用可能な送信電力との間のオフセット値を決定するために使用される、ステップと
を含む。
【００５１】
第４の態様の第１の可能な実装では、アクセスネットワークデバイスによって、電力調整ファクタを端末に送信するステップは、
アクセスネットワークデバイスによって、上位レイヤシグナリングまたは物理レイヤシグナリングを使用することによって、電力調整ファクタを端末に送信するステップ
を含む。
【００５２】
第４の態様または第４の態様の第１の可能な実装に関して、第４の態様の第２の可能な実装では、電力調整ファクタはセル固有パラメータである。
【００５３】
第５の態様によれば、本発明の実施形態は、通信装置を提供する。装置は、第１の態様において説明される方法を実装するように構成された、決定ユニット、受信ユニット、および処理ユニットなどのユニットを含む。
【００５４】
第６の態様によれば、本発明の実施形態は、通信装置を提供する。装置は、第２の態様において説明される方法を実装するように構成された、受信ユニットおよび処理ユニットなどのユニットを含む。
【００５５】
第７の態様によれば、本発明の実施形態は、通信装置を提供する。装置は、第３の態様において説明される方法を実装するように構成された、決定ユニットおよび送信ユニットなどのユニットを含む。
【００５６】
第８の態様によれば、本発明の実施形態は、通信装置を提供する。装置は、第４の態様において説明される方法を実装するように構成された、決定ユニットおよび送信ユニットなどのユニットを含む。
【００５７】
第９の態様によれば、本発明の実施形態は、通信システムを提供する。システムは、端末およびアクセスネットワークデバイスを含む。端末は、第５の態様または第６の態様において提供される通信装置を含む。アクセスネットワークデバイスは、第７の態様または第８の態様において提供される通信装置を含む。
【００５８】
第１０の態様によれば、本発明の実施形態は、端末を提供する。端末は、プロセッサ、メモリ、およびトランシーバを含む。プロセッサ、メモリ、およびトランシーバは、バスを使用することによって結合される。メモリは、プログラム命令を記憶するように構成される。プロセッサは、メモリに記憶されたプログラム命令を実行し、その結果、端末は、第１の態様または第２の態様において説明される方法を実施することができる。
【００５９】
第１１の態様によれば、本発明の実施形態は、端末によって実行されるべきプログラムコードを記憶するように構成されたコンピュータ可読媒体をさらに提供する。プログラムコードは、第１の態様または第２の態様において説明される方法を実施するために使用される命令を含む。
【００６０】
第１２の態様によれば、本発明の実施形態は、アクセスネットワークデバイスを提供する。アクセスネットワークデバイスは、プロセッサ、メモリ、およびトランシーバを含む。プロセッサ、メモリ、およびトランシーバは、バスを使用することによって結合される。メモリは、プログラム命令を記憶するように構成される。プロセッサは、メモリに記憶されたプログラム命令を実行し、その結果、端末は、第３の態様または第４の態様において説明される方法を実施することができる。
【００６１】
第１３の態様によれば、本発明の実施形態は、端末によって実行されるべきプログラムコードを記憶するように構成されたコンピュータ可読媒体をさらに提供する。プログラムコードは、第３の態様または第４の態様において説明される方法を実施するために使用される命令を含む。
【００６２】
第１４の態様によれば、本発明の実施形態は、モバイル通信システムデバイスに適用される通信チップをさらに提供する。通信チップは、プロセッサ、メモリ、および通信インターフェースを含む。プロセッサ、メモリ、および通信インターフェースは、バスを使用することによって結合される。メモリは、プログラム命令を記憶するように構成される。プロセッサは、メモリに記憶されたプログラム命令を実行し、その結果、通信チップによってロードされる通信システムデバイスは、第１の態様、第２の態様、第３の態様、または第４の態様の可能な実装のうちのいずれか１つにおいて提供される方法を実施することができる。
【図面の簡単な説明】
【００６３】
【図１】本発明の実施形態による通信システムのアーキテクチャ概略図である。
【図２】本発明の実施形態による別の通信システムのアーキテクチャ概略図である。
【図３】本発明の実施形態によるチャネルの時間シーケンスの図である。
【図４】本発明の実施形態による端末のハードウェア構造の概略図である。
【図５】本発明の実施形態によるアクセスネットワークデバイスのハードウェア構造の概略図である。
【図６】本発明の実施形態による電力割振り方法のフローチャートである。
【図６Ａ】本発明の実施形態によるチャネルの時間シーケンスの図である。
【図７】本発明の実施形態による電力調整方法のフローチャートである。
【図８】本発明の実施形態による通信装置の概略構造図である。
【図９】本発明の実施形態による別の通信装置の概略構造図である。
【図１０】本発明の実施形態による別の通信装置の概略構造図である。
【図１１】本発明の実施形態による別の通信装置の概略構造図である。
【図１２】本発明の実施形態による通信チップの概略構造図である。
【発明を実施するための形態】
【００６４】
本出願の目的、技術的解決策、および利点をより明確にするために、以下は、添付の図面を参照しながら本出願の実装について詳細にさらに説明する。
【００６５】
図１および図２は、本発明の実施形態による通信システムの概略構造図である。通信システムは、ＬＴＥシステムまたは５Ｇシステムであり得る。通信システムは、少なくとも１つの端末１２０および少なくとも１つの基地局１４０を含む。
【００６６】
図１および図２に示されている通信システムは、２つの異なる適用シナリオに対応している。本発明の実施形態において提供される技術的解決策の理解を容易にするために、本出願の適用シナリオは最初に、図１および図２を参照しながら説明される。
【００６７】
適用シナリオ１（図１参照）は、アクセスネットワークデバイス（例えば、基地局）間のキャリアアグリゲーションのシナリオである。
【００６８】
端末１２０は、２つのアクセスネットワークデバイス１４０とともにデータを同時に送信して、キャリアアグリゲーションを実装する。図１に示されているように、端末１２０はキャリアＡ上でアップリンクデータを１つのアクセスネットワークデバイス１４０に送信し、端末１２０はキャリアＢ上でアップリンクデータを別のアクセスネットワークデバイス１４０に送信する。このシナリオでは、データがリアルタイムで交換されることが可能であること（理想的なバックホール）およびデータが２つのアクセスネットワークデバイス１４０間でリアルタイムで交換されることが可能ではないこと（非理想的なバックホール）の２つの場合がある。アップリンクデータおよびダウンリンクデータは、それぞれ、キャリアＡ（またはキャリアＢ）のアップリンクサブフレームおよびダウンリンクサブフレームを搬送体として使用することによって送信される。
【００６９】
キャリアＡおよびキャリアＢが２つの異なるＴＡＧに属する場合、異なるＴＡＧは異なるタイミングアドバンスを有するので、端末１２０がアップリンクデータを２つのアクセスネットワークデバイス１４０に送信するサブフレームは異なる開始時間を有する。したがって、２つのサブフレームが比較的大きい長さの差を有するかまたは小さい長さの差を有するかにかかわらず、２つのアクセスネットワークデバイスに対応するアップリンクサブフレームの間に整合されていない時間および／または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７０】
キャリアＡおよびキャリアＢが２つの同じＴＡＧに属する場合、同じＴＡＧは同じタイミングアドバンスを有するので、端末１２０がアップリンクデータを２つのアクセスネットワークデバイス１４０に送信するアップリンクサブフレームは同じ開始時間を有する。したがって、２つのサブフレームの間に比較的大きい長さの差があるときのみ、２つのアップリンクサブフレームの間に整合されていない時間および／または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７１】
適用シナリオ２（図２を参照）は、単一のアクセスネットワークデバイスのキャリアアグリゲーションである。
【００７２】
端末１２０は、少なくとも２つのキャリア上でデータを送信して、キャリアアグリゲーションを実装する。図２に示されているように、端末１２０は、キャリアＡおよびキャリアＢ上でアップリンクデータをアクセスネットワークデバイス１４０に同時に送信する。
【００７３】
キャリアＡおよびキャリアＢが２つの異なるＴＡＧに属する場合、異なるＴＡＧは異なるタイミングアドバンスを有するので、端末１２０がアップリンクデータをアクセスネットワークデバイス１４０に送信するアップリンクサブフレームは異なる開始時間を有する。したがって、２つのサブフレームが比較的大きい長さの差を有するかまたは小さい長さの差を有するかにかかわらず、２つのアクセスネットワークデバイスに対応するアップリンクサブフレームの間に整合されていない時間または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７４】
キャリアＡおよびキャリアＢが２つの同じＴＡＧに属する場合、同じＴＡＧは同じタイミングアドバンスを有するので、端末１２０がアップリンクデータをアクセスネットワークデバイス１４０に送信するアップリンクサブフレームは同じ開始時間を有する。したがって、２つのサブフレームの間に比較的大きい長さの差があるときのみ、２つのアクセスネットワークデバイスに対応する２つのアップリンクサブフレームの間に整合されていない時間および／または重複する時間がある。代替として、一方のアクセスネットワークデバイスに対応する１つのアップリンクサブフレームは、他方のアクセスネットワークデバイスに対応する少なくとも２つのアップリンクサブフレームと重複する。
【００７５】
以下は、図３を参照しながら、２つのサブフレームの間に比較的大きい長さの差がある場合について説明する。図３に示されているように、端末は、低周波数キャリア（Ｌｏｗ−ｆｒｅｑｕｅｎｃｙ  ｃａｒｒｉｅｒ）および高周波数キャリア（Ｈｉｇｈ−ｆｒｅｑｕｅｎｃｙ  ｃａｒｒｉｅｒ）上でアクセスネットワークデバイスとのキャリアアグリゲーション送信を実装する。低周波数キャリア上のサブフレームの長さは、高周波数キャリア上のサブフレームの長さよりも大きい。低周波数キャリア上のサブフレームはロングサブフレームであり、高周波数キャリア上のサブフレームはショートサブフレームである。低周波数キャリア上の１つのロングサブフレームは、高周波数キャリア上の複数のショートサブフレームと重複する。
【００７６】
送信電力をロングサブフレームｉおよびロングサブフレームｉと重複する複数のショートサブフレームに割り振るとき、端末は、これらのショートサブフレームによって必要とされるチャネル送信電力を知る必要があり、ショートサブフレームの各々によって必要とされるチャネル送信電力は、通常、ＤＣＩにおいて搬送される情報（例えば、スケジューリング決定および電力制御コマンド）を使用することによって決定される。図３に示されているように、端末は、瞬間ｔにおいて、送信電力をロングサブフレームｉおよびロングサブフレームｉと重複するショートサブフレーム（ｉ１からｉＮ）に割り振り、この場合、端末によって受信されるＤＣＩは、ＤＣＩ１およびＤＣＩ２を含む。ＤＣＩ１は、ロングサブフレームｉのチャネル送信電力を決定するために使用される情報を搬送し、ＤＣＩ２は、ロングサブフレームｉと重複するＮ個のショートサブフレームのうちの最初のＭ個のショートサブフレームのためのチャネル送信電力を決定するために使用される情報のみを搬送し、最後の（Ｎ−Ｍ）個のショートサブフレームのためのチャネル送信電力を決定するために使用される情報は、ＤＣＩ３において搬送される。したがって、電力が従来の方式で瞬間ｔにおいて割り振られるとき、最後の（Ｎ−Ｍ）個のショートサブフレームの電力要件は満たされることができない。
【００７７】
加えて、いくつかのシナリオでは、電力が既存の方式のみで割り振られる場合、ロングサブフレームの送信電力も影響される。
【００７８】
例えば、動的な時分割複信（Ｔｉｍｅ  Ｄｉｖｉｓｉｏｎ  Ｄｕｐｌｅｘ、略して「ＴＤＤ」）では、ロングサブフレームと重複する複数のショートサブフレームの中で、最初の２つのショートサブフレームは、比較的大きいチャネル送信電力を必要とするアップリンクサブフレームであり得るが、最後のいくつかのショートサブフレームは、比較的小さいチャネル送信電力を必要とするダウンリンクサブフレームである。ショートサブフレームのチャネルの優先度がロングサブフレームのチャネルの優先度よりも高い場合、既存の電力割振り方法によれば、電力が制限されているとき、電力は好ましくは、重複するエリア内のショートサブフレームに割り振られる。したがって、ロングサブフレームにおけるアップリンクデータに割振り可能なチャネル送信電力は、必要とされるチャネル送信電力を満たさないことがあるが、ほとんどの場合、ショートサブフレームにおけるアップリンクデータ送信に割り振られるチャネル送信電力は、ショートサブフレームによって実際に必要とされるチャネル送信電力を超える。これはショートサブフレームにおけるアップリンクデータ送信の送信電力の浪費を引き起こし、不十分な電力がロングサブフレームにおけるアップリンクデータ送信に割り振られる。
【００７９】
本出願のすべての実施形態は、適用シナリオ１と適用シナリオ２の両方に適用可能である。
【００８０】
以下は、特定のハードウェア構造を参照しながら、本発明の実施形態において提供される端末およびアクセスネットワークデバイスについて説明する。
【００８１】
図４は、本発明の実施形態による端末１２０を実装するハードウェア構造を示す。図４に示されているように、端末１２０は、プロセッサ２１、トランシーバ２２、およびメモリ２３を含む。
【００８２】
プロセッサ２１は、１つまたは複数の処理コアを含み、プロセッサ２１は、ソフトウェアプログラムおよびモジュールを実行することによって様々な機能アプリケーションおよび情報処理を実行する。
【００８３】
トランシーバ２２は、受信機Ｒｘおよび送信機Ｔｘを含む。トランシーバ２２は、代替として、通信チップとして実装され得る。通信チップは、受信モジュール、送信モジュール、モデムモジュールなどを含んでよく、情報を変調／復調し、無線信号を使用することによって情報を受信／送信するように構成される。
【００８４】
トランシーバ２２、メモリ２３、およびプロセッサ２１は、バスを使用することによって結合される。メモリ２３は、ソフトウェアプログラムおよびモジュールを記憶するように構成され得る。メモリは、少なくとも１つの機能によって必要とされるオペレーティングシステム２４およびアプリケーションプログラムモジュール２５を記憶し得る。
【００８５】
アプリケーションプログラムモジュール２５は、情報を決定するように構成された決定モジュール２５０、情報を受信するように構成された受信モジュール２５１、および情報を処理するように構成された処理モジュール２５２を少なくとも含む。
決定モジュール２５０は、第１の初期送信電力および第２の初期送信電力を決定するように構成される。第１の初期送信電力は、Ｍ個の第１のサブフレームの各々において送信され、第１のキャリアによって搬送されるチャネルの初期送信電力を含む。第２の初期送信電力は、第２のサブフレームにおいて送信され、第２のキャリアによって搬送されるチャネルの初期送信電力である。
受信モジュール２５１は、第１のキャリアによって搬送されるチャネルのものであり、アクセスネットワークデバイスによって送信される最小保証電力情報を受信するように構成される。
処理モジュール２５２は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するように構成される。
第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である。
【００８６】
任意選択で、プロセッサ２１は、アプリケーションプログラムモジュール２５内のモジュールを実行して、端末によって実施される必要がある図６のステップを実装するように構成される。
【００８７】
代替として、受信モジュール２５１は、アクセスネットワークデバイスによって送信された電力調整ファクタを受信するように構成される。処理モジュール２５２は、電力調整ファクタおよびサブフレームの第１の部分におけるチャネルの利用可能な送信電力に基づいてサブフレームの第２の部分におけるチャネルの利用可能な送信電力を取得するように構成される。サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【００８８】
対応して、プロセッサ２１は、アプリケーションプログラムモジュール２５内のモジュールを実行して、端末によって実施される必要がある図７のステップを実装するように構成される。
【００８９】
加えて、メモリ２３は、コンピュータ可読記憶媒体であり、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク、または光ディスクなどの、任意のタイプの揮発性もしくは不揮発性記憶デバイスまたはそれらの組合せによって実装され得る。
【００９０】
図４に示されている端末１２０の構造は、端末に対するいかなる限定ともならず、端末は、図に示されているものよりも多いもしくは少ない構成要素、いくつかの構成要素の組合せ、または別様に配設された構成要素を含み得ることを当業者は理解し得る。
【００９１】
図５は、本発明の実施形態によるアクセスネットワークデバイス１４０を実装するハードウェア構造を示す。図５を参照すると、アクセスネットワークデバイス１４０は、プロセッサ３１、トランシーバ３２、およびメモリ３３を含む。
【００９２】
プロセッサ３１は、１つまたは複数の処理コアを含み、プロセッサ３１は、ソフトウェアプログラムおよびモジュールを実行することによって様々な機能アプリケーションおよび情報処理を実行する。
【００９３】
トランシーバ３２は、受信機Ｒｘおよび送信機Ｔｘを含む。トランシーバ３２は、代替として、通信チップとして実装され得る。通信チップは、受信モジュール、送信モジュール、モデムモジュールなどを含んでよく、情報を変調／復調し、無線信号を使用することによって情報を受信／送信するように構成される。
【００９４】
トランシーバ３２、メモリ３３、およびプロセッサ３１は、バスを使用することによって結合される。メモリ３３は、ソフトウェアプログラムおよびモジュールを記憶するように構成され得る。メモリは、少なくとも１つの機能によって必要とされるオペレーティングシステム３４およびアプリケーションプログラムモジュール３５を記憶し得る。
アプリケーションプログラムモジュール３５は、情報を決定するように構成された決定モジュール３５１および情報を送信するように構成された送信モジュール３５２を少なくとも含む。決定モジュール３５１は、第１のキャリアによって搬送されるチャネルの最小保証電力情報を決定するように構成される。
送信モジュール３５２は、第１のキャリアによって搬送されるチャネルの最小保証電力情報を端末に送信するように構成される。最小保証電力情報は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するために端末によって使用される。
第１の初期送信電力は、Ｍ個の第１のサブフレームの各々において送信され、第１のキャリアによって搬送されるチャネルの初期送信電力を含む。第２の初期送信電力は、第２のサブフレームにおいて送信され、第２のキャリアによって搬送されるチャネルの初期送信電力である。第２のキャリア上の第２のサブフレームは、第１のキャリア上のＮ個の第１のサブフレームと重複する。Ｍ個の第１のサブフレームは、Ｎ個の第１のサブフレームのうちの最初のＭ個の第１のサブフレームであり、ＮはＭよりも大きく、ＭおよびＮは正の整数である。
【００９５】
任意選択で、プロセッサ３１は、アプリケーションプログラムモジュール３５内のモジュールを実行して、アクセスネットワークデバイスによって実施される必要がある図６のステップを実装するように構成される。
【００９６】
代替として、決定モジュール３５１は、電力調整ファクタを決定するように構成される。送信モジュール３５２は、電力調整ファクタを端末に送信するように構成される。電力調整ファクタは、電力調整ファクタおよびサブフレームの第１の部分におけるチャネルの利用可能な送信電力に基づいてサブフレームの第２の部分におけるチャネルの利用可能な送信電力を取得するために端末によって使用される。サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【００９７】
対応して、プロセッサ３１は、アプリケーションプログラムモジュール３５内のモジュールを実行して、アクセスネットワークデバイスによって実施される必要がある図７のステップを実装するように構成される。
【００９８】
加えて、メモリ３３は、コンピュータ可読記憶媒体であり、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク、または光ディスクなどの、任意のタイプの揮発性もしくは不揮発性記憶デバイスまたはそれらの組合せによって実装され得る。
【００９９】
図５に示されているアクセスネットワークデバイス１４０の構造は、アクセスネットワークデバイスに対するいかなる限定ともならず、アクセスネットワークデバイスは、図に示されているものよりも多いもしくは少ない構成要素、いくつかの構成要素の組合せ、または別様に配設された構成要素を含み得ることを当業者は理解し得る。
【０１００】
図６は、本発明の実施形態による電力割振り方法を示す。方法は、図１または図２に示されているシステムを使用することによって実装される。方法は以下のステップを含む。
【０１０１】
Ｓ１００：端末は、第１の初期送信電力および第２の初期送信電力を決定し、第１の初期送信電力は、Ｍ個の第１のサブフレームの各々において送信され、第１のキャリアによって搬送されるチャネルの初期送信電力を含み、第２の初期送信電力は、第２のサブフレームにおいて送信され、第２のキャリアによって搬送されるチャネルの初期送信電力である。
【０１０２】
電力割振りの前に、端末はＤＣＩ（例えば、図３のＤＣＩ１およびＤＣＩ２）を受信する。ＤＣＩ１は、ロングサブフレームｉのチャネル送信電力を決定するために使用される情報を搬送し、ＤＣＩ２は、ロングサブフレームｉと重複するＮ個のショートサブフレームのうちの最初のＭ個のショートサブフレームのためのチャネル送信電力を決定するために使用される情報のみを搬送する。端末は、ＤＣＩに基づいて第１の初期送信電力および第２の初期送信電力を決定する。
【０１０３】
Ｓ１０１：アクセスネットワークデバイスは、第１のキャリアによって搬送されるチャネルの最小保証電力情報を決定する。
【０１０４】
第１のキャリアによって搬送されるチャネルの最小保証電力情報は、最大送信電力に対する最小保証電力の比のインデックスであり得る。
【０１０５】
第１のキャリアによって搬送されるチャネルのための最小保証電力は０以上であり、最大送信電力ＰＣＭＡＸに対する最小保証電力の比はパーセンテージ（％単位）の形態であり得る。
【０１０６】
例えば、最大送信電力に対する、第１のキャリアによって搬送されるチャネルのための最小保証電力の比は、以下の列挙された候補値、すなわち、０％、５％、１０％、１５％、２０％、３０％、３７％、４４％、５０％、５６％、６３％、７０％、８０％、９０％、９５％、および１００％のうちのいずれか１つであってよい。第１のキャリアによって搬送されるチャネルのための最小保証電力は、最小保証電力情報内のインデックスに基づいて決定される。例えば、インデックスが６である場合、最大送信電力に対する最小保証電力の対応する比は３０％であり、最小保証電力は最大送信電力に基づく計算によって取得されることができる。
【０１０７】
第１のキャリアによって搬送されるチャネルのための最小保証電力が決定されるとき、任意選択で、アクセスネットワークデバイスは、いくつかの重複するアップリンクショートサブフレームにおける送信されるべきデータのタイプおよび優先度に基づいて、第１のキャリアによって搬送されるチャネルの最小保証電力情報を決定し得る。
【０１０８】
アクセスネットワークデバイスは、いくつかの重複するアップリンクショートサブフレームにおける送信されるべきデータのタイプに基づいて、第１のキャリアによって搬送されるチャネルの最小保証電力情報を決定し得る。特に、いくつかの重複するアップリンクショートサブフレームにおける送信されるべきデータのチャネルが比較的高い優先度を有するとき（例えば、最も高い優先度を有するいくつかのデータタイプ）、第１のキャリアによって搬送されるチャネルのための最小保証電力および最大送信電力の比は、指定された値（例えば、５０％）以上であり得る。例えば、いくつかの重複するアップリンクショートサブフレームにおける送信されるべきデータタイプのための物理ランダムアクセスチャネルがあるとき、したがって、第１のキャリアによって搬送されるチャネルの最小保証電力は、５０％以上の上記の候補値のうちのいずれか１つであり得る。
【０１０９】
実装では、ステップＳ１０１における第１のキャリアによって搬送されるチャネルの最小保証電力情報は、有効期間の間、電力がいくつかの重複するアップリンクサブフレームにおける第１のキャリア上のアップリンクデータに割り振られるときのみ、端末によって使用される。有効期間は回数（例えば、１回または数回）であってよく、または時間（例えば、期間）であってよい。
【０１１０】
別の実装では、ステップＳ１０１における第１のキャリアによって搬送されるチャネルの最小保証電力情報は、端末が電力をいくつかの重複するアップリンクサブフレームにおける第１のキャリアに割り振るときはいつでも使用され得る。
【０１１１】
Ｓ１０２：アクセスネットワークデバイスは、第１のキャリアによって搬送されるチャネルの最小保証電力情報を端末に送信する。
【０１１２】
実装の間、Ｓ１０２は、アクセスネットワークデバイスによって、上位レイヤシグナリングまたは物理レイヤシグナリングを端末に送信することであって、上位レイヤシグナリングまたは物理レイヤシグナリングは、第１のキャリアによって搬送されるチャネルの最小保証電力情報を含む、送信することを含み得る。
【０１１３】
上位レイヤシグナリングは無線リソース制御（Ｒａｄｉｏ  Ｒｅｓｏｕｒｃｅ  Ｃｏｎｔｒｏｌ、略して「ＲＲＣ」）シグナリングであってよく、物理レイヤシグナリングはＤＣＩシグナリングであってよい。
【０１１４】
実装の間、Ｓ１０２は、第１のキャリアまたは第２のキャリア上で、アクセスネットワークデバイスによって、第１のキャリアによって搬送されるチャネルの最小保証電力情報を送信することを含み得る。
【０１１５】
具体的には、上位レイヤシグナリングもしくは物理レイヤシグナリングは第２のキャリア上で送信される上位レイヤシグナリングもしくは物理レイヤシグナリングであってよく、または、上位レイヤシグナリングもしくは物理レイヤシグナリングは第１のキャリア上で送信される上位レイヤシグナリングもしくは物理レイヤシグナリングであってよい。
【０１１６】
さらに、物理レイヤシグナリングは１次コンポーネントキャリア（例えば、第２のキャリア）上で送信される物理レイヤシグナリングであるか、または、物理レイヤシグナリングは２次コンポーネントキャリア（例えば、第１のキャリア）上で送信される物理レイヤシグナリングである。例えば、ＤＣＩシグナリングは１次コンポーネントキャリア上で送信されるＤＣＩシグナリングであるか、または、ＤＣＩシグナリングは２次コンポーネントキャリア上で送信されるＤＣＩシグナリングである。ＤＣＩシグナリングは、特に最小保証電力情報を送信するために使用されるＤＣＩシグナリング（ダウンリンク許可（ＤＬ許可）のために使用されるＤＣＩシグナリングとは異なる）であってよい。
【０１１７】
任意選択で、アクセスネットワークデバイスは、指示シグナリングを使用することによって、Ｎ個の第１のサブフレーム内にあり、第１のキャリアによって搬送されるチャネルの電力割振り情報を端末にさらに送信する。指示シグナリングは、Ｎ個の第１のサブフレームの各々内にあり、第１のキャリアによって搬送されるチャネルの電力割振り情報を搬送する上位レイヤシグナリングまたは物理レイヤシグナリングである。指示シグナリングが物理レイヤシグナリングであるとき、第１のキャリア上で送信される第１のシグナリングの送信サブフレームは、第２のキャリア上で送信される第２のシグナリングの送信サブフレームと重複する。第２のシグナリングは、第２のサブフレームにおいて第２のキャリアによって搬送されるチャネルの電力割振り情報を搬送する。
【０１１８】
例えば、図３に示されているように、ＤＣＩ２は、Ｎ個の第１のサブフレームにおいて第１のキャリアによって搬送されるチャネルの電力割振り情報を搬送する。代替として、ＤＣＩ２および／またはＤＣＩ３の前に、アクセスネットワークデバイスは２個のＤＣＩを端末に送信する。２個のＤＣＩは、Ｍ個の第１のサブフレームにおいて第１のキャリアによって搬送されるチャネルの電力割振り情報および（Ｎ−Ｍ）個の第１のサブフレームにおいて第１のキャリアによって搬送されるチャネルの電力割振り情報を示すために別々に使用される。
【０１１９】
Ｓ１０３：端末は、第１のキャリアによって搬送されるチャネルのものであり、アクセスネットワークデバイスによって送信される最小保証電力情報を受信する。
【０１２０】
実装の間、Ｓ１０３は、端末によって、第１のキャリアまたは第２のキャリア上でアクセスネットワークデバイスによって送信された第１のシグナリングを受信することであって、第１のシグナリングは、第１のキャリアによって搬送されるチャネルの最小保証電力情報を搬送する上位レイヤシグナリングまたは物理レイヤシグナリングである、受信することを含み得る。
【０１２１】
第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【０１２２】
図３が例として使用される。第２のシグナリングはＤＣＩ１であってよく、第１のシグナリングはＤＣＩ２であってよい。ＤＣＩ１およびＤＣＩ２の送信サブフレームは互いと重複する。加えて、ＤＣＩ２において搬送される、第１のキャリアによって搬送されるチャネルの最小保証電力情報は、後続の電力割振りにおいて使用され得る。
【０１２３】
任意選択で、端末は、Ｎ個の第１のサブフレーム内にあり、第１のキャリアによって搬送されるチャネルの電力割振り情報を受信し、電力割振り情報は、指示シグナリングを使用することによってアクセスネットワークデバイスによって送信される。
【０１２４】
Ｓ１０４：第１の初期送信電力のいずれかおよび第２の初期送信電力の合計が端末の最大送信電力よりも大きいとき、端末は、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得する。
【０１２５】
第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である。
【０１２６】
第１のサブフレームと第２のサブフレームの両方は、アップリンクサブフレームである。Ｍ個の第１のサブフレームは同じ長さを有するが、異なるチャネルを送信し得る。
【０１２７】
さらに、第２のキャリア上の第２のサブフレームと第１のキャリア上のＮ個の第１のサブフレームとの間の重複する時間は、事前設定されたしきい値以上である。重複する時間は、重複する部分の時間長である。しきい値は、時間、またはＮ個の第１のサブフレームの時間長に対する重複する時間の比であり得る。例えば、重複する時間は、Ｎ個の第１のサブフレームの時間長の５０％である。
【０１２８】
例えば、図６Ａを参照すると、低周波数キャリア（第２のキャリア）上の１つのアップリンクサブフレーム（第２のサブフレーム）は、高周波数キャリア（第１のキャリア）上の３つのアップリンクサブフレーム（第１のサブフレーム）と重複する（例えば、低周波数キャリアは２ＧＨｚであってよく、高周波数キャリアは２８ＧＨｚであるが、代替として、低周波数キャリアに対応するアップリンクサブフレーム長および高周波数キャリアに対応するアップリンクサブフレーム長の比が１／３であれば、低周波数キャリアおよび高周波数キャリアは他の値であってよい）。電力割振りの間、端末は、高周波数キャリア上での３つのアップリンクサブフレームにおけるアップリンクデータ送信のための送信電力、および低周波数キャリア上での１つのアップリンクサブフレームにおけるアップリンクデータ送信のための送信電力を、高周波数キャリア上でのアップリンクデータ送信の最小保証電力情報に基づいて、および高周波数キャリア上の最初の２つのアップリンクサブフレームのチャネルと、高周波数キャリア上の最初の２つのアップリンクサブフレームのチャネルと重複する低周波数キャリア上の１つのアップリンクサブフレームのチャネルとの優先度に基づいて取得し得る。
【０１２９】
実装の間、Ｓ１０４は以下のステップを含み得る。
【０１３０】
Ｓ１０４１：端末は、第１のキャリアによって搬送されるチャネルの最小保証電力情報に基づいて最小保証電力を取得する。
【０１３１】
例えば、ステップＳ１０１における最小保証電力情報は、最小保証電力のインデックスである。端末は、最大送信電力に対する最小保証電力の比のための候補値を記憶する。最小保証電力のインデックスを取得した後、端末は、インデックスに基づくこれらの候補値から、最大送信電力に対する最小保証電力の比を決定し、次いで、比および最大送信電力に基づく計算によって最小保証電力を取得することができる。
【０１３２】
Ｓ１０４２：端末は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得する。
【０１３３】
ステップＳ１０４２において、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために、端末は最初に、優先順位ルールを取得する必要がある。優先順位ルールは、アップリンクサブフレームのチャネルの優先順位を決定するために使用される。
【０１３４】
実装では、優先順位ルールは事前定義されてよく、端末に事前記憶され、端末は、優先度を決定するときに優先順位ルールを直接取得することができる。
【０１３５】
別の実装では、優先順位ルールはアクセスネットワークデバイスによって端末に送信される。プロセスは、以下のステップを特に含み得る。
【０１３６】
ステップ１：アクセスネットワークデバイスは、優先順位ルールを端末に送信する。
【０１３７】
実装の間、アクセスネットワークデバイスは、上位レイヤシグナリングまたは物理レイヤシグナリングを使用することによって、優先順位ルールを端末に送信し得る。
【０１３８】
上位レイヤシグナリングはＲＲＣシグナリングであってよく、物理レイヤシグナリングはＤＣＩシグナリングであってよい。
【０１３９】
実装の間、アクセスネットワークデバイスは、第１のキャリアまたは第２のキャリア上で、優先順位ルールを端末に送信し得る。
【０１４０】
具体的には、アクセスネットワークデバイスは、第１のキャリアまたは第２のキャリア上で、上位レイヤシグナリングまたは物理レイヤシグナリングを端末に送信する。上位レイヤシグナリングまたは物理レイヤシグナリングは、優先順位ルールを含む。優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される。異なるシナリオでは、優先順位ルールは異なる。アクセスネットワークデバイスは、異なるシナリオに従って、異なるユーザに対する異なる優先順位ルールを構成し得る。
【０１４１】
さらに、物理レイヤシグナリングは１次コンポーネントキャリア（例えば、第２のキャリア）上で送信される物理レイヤシグナリングであるか、または、物理レイヤシグナリングは２次コンポーネントキャリア（例えば、第１のキャリア）上で送信される物理レイヤシグナリングである。例えば、ＤＣＩシグナリングは１次コンポーネントキャリア上で送信されるＤＣＩシグナリングであるか、または、ＤＣＩシグナリングは２次コンポーネントキャリア上で送信されるＤＣＩシグナリングである。
【０１４２】
この実施形態では、チャネル優先順位は、以下のうちの少なくとも１つを含む。
【０１４３】
チャネルタイプ間の優先順位、チャネルによって搬送されるアップリンク制御情報（Ｕｐｌｉｎｋ  Ｃｏｎｔｒｏｌ  Ｉｎｆｏｒｍａｔｉｏｎ、略して「ＵＣＩ」）間の優先順位、およびチャネルに対応するキャリア間の優先順位。
【０１４４】
特に、チャネルタイプ間の優先順位は、以下のうちの少なくとも１つを含む。
【０１４５】
物理ランダムアクセスチャネル（Ｐｈｙｓｉｃａｌ  Ｒａｎｄｏｍ  Ａｃｃｅｓｓ  Ｃｈａｎｎｅｌ、略して「ＰＲＡＣＨ」）があるとき、ＰＲＡＣＨは最も高い優先度を有する、
物理アップリンク制御チャネル（Ｐｈｙｓｉｃａｌ  Ｕｐｌｉｎｋ  Ｃｏｎｔｒｏｌ  Ｃｈａｎｎｅｌ、略して「ＰＵＣＣＨ」）および物理アップリンク共有チャネル（Ｐｈｙｓｉｃａｌ  Ｕｐｌｉｎｋ  Ｓｈａｒｅｄ  Ｃｈａｎｎｅｌ、略して「ＰＵＳＣＨ」）が共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびサウンディング基準信号（Ｓｏｕｎｄｉｎｇ  Ｒｅｆｅｒｅｎｃｅ  Ｓｉｇｎａｌ、略して「ＳＲＳ」）が共存するとき、ＳＲＳは最も低い優先度を有する。
【０１４６】
特に、チャネルによって搬送されるＵＣＩ間の優先順位は、以下のうちの少なくとも１つを含む。
【０１４７】
チャネル状態情報およびスケジューリング要求が共存するとき、チャネル状態情報の優先度はスケジューリング要求の優先度よりも低い、または
ハイブリッド自動再送要求情報およびスケジューリング要求が共存するとき、ハイブリッド自動再送要求情報の優先度はスケジューリング要求の優先度以上である。
【０１４８】
特に、チャネルに対応するキャリア間の優先順位は、以下のうちの少なくとも１つを含む。
【０１４９】
キャリアのインデックス番号に基づいて決定される優先順位、上位レイヤにおいて構成されるキャリアの優先順位、キャリアの複信方式に基づいて決定される優先順位、キャリアの無線リソース制御ＲＲＣ接続状態に基づいて決定される優先順位、およびキャリアに対応する送信ポイントに基づいて決定される優先順位。
【０１５０】
キャリアのＲＲＣ接続状態に基づいて決定される優先順位は、以下のうちの少なくとも１つを含む。
【０１５１】
ＲＲＣ接続をサポートするキャリアの優先度は、ＲＲＣ接続をサポートしないキャリアの優先度よりも高い、および
ＲＲＣ情報を搬送するキャリアの優先度は、ＲＲＣ情報を搬送しないキャリアの優先度よりも高い。
【０１５２】
代替として、優先順位は、実際のシナリオに従って、対応して設定され得る。例えば、シナリオでは、１次コンポーネントキャリアはＲＡＣＨを送信するために使用され、２次コンポーネントキャリアは（ＰＵＳＣＨ上で搬送される）肯定応答（Ａｃｋｎｏｗｌｅｄｇｍｅｎｔ、略して「ＡＣＫ」）命令を送信するために使用される。この場合、チャネルタイプ間の優先順位は、ＰＲＡＣＨ＞ＰＵＳＣＨである。
【０１５３】
さらに、チャネルタイプ間の優先順位は、ＰＲＡＣＨ＞ＰＵＣＣＨ＞ＰＵＳＣＨであってよく、ただし、ＵＣＩ＞ＰＵＳＣＨであって、ＵＣＩ＞ＳＲＳではない。具体的には、複数のキャリア上のアップリンクチャネルの中で、ランダムアクセスチャネルは最も高い優先度を有し、アップリンク制御チャネルは２番目に高い優先度を有し、ＵＣＩを送信するアップリンク共有チャネルは３番目に高い優先度を有し、ＵＣＩを送信しないアップリンク共有チャネルは４番目に高い優先度を有し、サウンディング基準信号は最も低い優先度を有する。
【０１５４】
別のシナリオでは、シナリオはマルチビームスイーピングに関連する。特に、端末は、時分割方式で複数のビームを使用することによって、複数のランダムアクセスチャネル（Ｒａｎｄｏｍ  Ａｃｃｅｓｓ  Ｃｈａｎｎｅｌ、略して「ＲＡＣＨ」）を送信する。例えば、１０個のＲＡＣＨが例として使用される。２つのキャリア上のアップリンクサブフレームが互いと重複するシナリオでは、最初の６つのＲＡＣＨの送信サブフレームが（ｉ−１）番目のロングサブフレームと重複し、最後の６つのＲＡＣＨの送信サブフレームがｉ番目のロングサブフレームと重複する場合、チャネル送信電力がｉ番目のロングサブフレームおよび重複するショートサブフレームに割り振られるとき、チャネルタイプ間の優先順位では、ＲＡＣＨの優先度はＰＵＣＣＨの優先度よりも低いことがあり、すなわち、ＰＵＣＣＨ＞ＰＲＡＣＨである。
【０１５５】
別のシナリオでは、チャネルに対応するキャリアまたはセルグループ間の優先順位は、１次コンポーネントキャリア上のまたはマスタセルグループにおける任意のアップリンクチャネルの優先度が２次コンポーネントキャリア上のまたは２次セルグループにおける任意のアップリンクチャネルの優先度以上であるということであり得る。
【０１５６】
実装の間、ステップは以下のステップを含み得る。
【０１５７】
アクセスネットワークデバイスは、直ちにスケジュールされるべきデータチャネルのタイプに基づいて対応する優先順位ルールを決定し、アクセスネットワークデバイスは、対応する優先順位ルールを端末に送信する。
【０１５８】
ステップ２：端末は、アクセスネットワークデバイスによって送信された優先順位ルールを受信する。
【０１５９】
特に、端末は、第１のキャリアまたは第２のキャリア上でアクセスネットワークデバイスによって送信された上位レイヤシグナリングまたは物理レイヤシグナリングを受信する。上位レイヤシグナリングまたは物理レイヤシグナリングは、優先順位ルールを含む。優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される。
【０１６０】
ステップ３：端末は、優先順位ルールに従って、Ｍ個の第１のサブフレームにおいて送信され、第１のキャリアによって搬送されるチャネルと、第２のサブフレームにおいて送信され、第２のキャリアによって搬送されるチャネルとの間の優先順位を決定する。
【０１６１】
実装では、端末は最初に、優先順位ルールに従って第１のキャリア上のＭ個の第１のサブフレームから第１のサブフレームを選択し、次いで、第１のサブフレームにおいて送信されるチャネルの優先度と第２のサブフレームにおいて送信されるチャネルの優先度を比較する。
【０１６２】
第１のキャリア上のＭ個の第１のサブフレームから第１のサブフレームを選択することは、Ｍ個の第１のサブフレームから最も高いチャネル優先度を有する第１のサブフレームを選択すること、またはＭ個の第１のサブフレームから最も低いチャネル優先度を有する第１のサブフレームを選択すること、またはＭ個の第１のサブフレームから指定されたチャネル優先度（例えば、２番目に高い優先度）を有する第１のサブフレームを選択することを特に含む。
【０１６３】
２つのアップリンクサブフレームのチャネル優先度が比較されるとき、異なる優先順位ルールによる異なる比較方式がある。
【０１６４】
優先順位ルールが上記の優先順位のうちの１つのみを含む、例えば、チャネルタイプ間の優先順位のみを含むとき、２つのアップリンクサブフレームのチャネルが同じタイプである場合、優先度は同じである。
【０１６５】
優先順位ルールが上記の優先順位のうちの２つ以上を含む、例えば、チャネルタイプ間の優先順位およびチャネルによって搬送されるＵＣＩ間の優先順位を含むとき、２つのアップリンクサブフレームのチャネルが同じタイプである場合、例えば、両方のチャネルがアップリンク制御情報を搬送する場合、チャネルによって搬送されるＵＣＩの優先度が比較される。
【０１６６】
優先順位ルールが取得され、優先順位が決定された後、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得することは、
優先順位に基づいて第１の初期送信電力および第２の初期送信電力を低減して、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力をそれぞれ取得することであって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計は、最大送信電力以下である、取得すること
を含む。
【０１６７】
特に、より低い優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、低減される。
【０１６８】
代替として、異なる優先度を有するチャネルの初期送信電力は、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計が最大送信電力以下であるまで、異なる低減比（より低い優先度を有するチャネルの低減比は、より高い優先度を有するチャネルの低減比よりも大きい）に従って低減される。
【０１６９】
Ｓ１０４３：端末は、最小保証電力と第１の利用可能な送信電力および第２の利用可能な送信電力のうちの少なくとも１つとに基づいて、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力のうちの少なくとも１つを決定する。ステップＳ１０４３において、端末は、Ｎ個の第１のサブフレームにおいて送信され、第１のキャリアによって搬送されるチャネルのための利用可能な送信電力を以下の方式、すなわち、Ｍａｘｉｍｕｍ｛Ｐ＿ｐｒｉｏｒｉｔｙ，  Ｐ＿ｇｕａｒａｎｔｅｅｄ｝で決定してよく、Ｐ＿ｐｒｉｏｒｉｔｙは、Ｎ個の第１のサブフレームにおいて送信され、第１のキャリアによって搬送されるチャネルのための第１の利用可能な送信電力であり、Ｐ＿ｇｕａｒａｎｔｅｅｄは、最小保証電力である。この場合、第２のサブフレームにおいて送信され、第２のキャリアによって搬送されるチャネルの利用可能な送信電力は、第２の利用可能な送信電力であり得る。
【０１７０】
最大値を取る解決策に加えて、Ｎ個の第１のサブフレームにおいて送信され、第１のキャリアによって搬送されるチャネルのための利用可能な送信電力は、最小値または平均値を取ることによって決定され得る。これは本明細書では限定されない。
【０１７１】
Ｎ個の第１のサブフレームにおいて送信され、第１のキャリアによって搬送されるチャネルのための最終的に取得される利用可能な送信電力、および第２のサブフレームにおいて送信され、第２のキャリアによって搬送されるチャネルの最終的に取得される利用可能な送信電力の合計は、最大送信電力以下であることに留意されたい。
【０１７２】
さらに、方法は、端末によって、Ｎ個の第１のサブフレームにおいて送信され、第１のキャリアによって搬送されるチャネルのための利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの利用可能な送信電力に基づいて、第２のサブフレームにおいて送信され、第２のキャリアによって搬送されるチャネルを送信するステップとをさらに含み得る。
【０１７３】
代替として、Ｎ個の第１のサブフレームにおいて送信され、第１のキャリアによって搬送されるチャネルのための利用可能な送信電力のみがステップＳ１０４３において決定されるとき、方法は、端末によって、Ｎ個の第１のサブフレームにおいて送信され、第１のキャリアによって搬送されるチャネルのための利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの第２の利用可能な送信電力に基づいて、第２のサブフレームにおいて送信され、第２のキャリアによって搬送されるチャネルを送信するステップとをさらに含み得る。
【０１７４】
代替として、第２のサブフレームにおいて送信され、第２のキャリアによって搬送されるチャネルの利用可能な送信電力のみがステップＳ１０４３において決定されるとき、方法は、端末によって、Ｎ個の第１のサブフレームにおいて送信され、第１のキャリアによって搬送されるチャネルのための第１の利用可能な送信電力に基づいて、Ｎ個の第１のサブフレームにおいて送信され、第１のキャリアによって搬送されるチャネルを送信するステップと、第２のサブフレームにおいて送信され、第２のキャリアによって搬送されるチャネルの利用可能な送信電力に基づいて、第２のサブフレームにおいて送信され、第２のキャリアによって搬送されるチャネルを送信するステップとをさらに含み得る。
【０１７５】
本出願では、１つのキャリア上のまたは１つのセルグループにおけるアップリンクサブフレームは別のキャリア上のまたは別のセルグループにおける複数のアップリンクサブフレームと重複し、最小保証電力は重複するエリアにおける最後の部分のために予約され、その結果、重複するエリアの最後の部分における電力要件は２つのキャリアに対するアップリンク電力割振りの間に満たされて、重複するエリアにおける最後の部分のアップリンクサブフレームにおけるデータ送信の性能を保証することができる。これは、アップリンクデータ送信の電力効率およびデータ送信性能の最大化を実装する。
【０１７６】
図７は、本発明の実施形態による電力調整方法を示す。方法は、図１または図２に示されているシステムを使用することによって実装される。方法は以下のステップを含む。
【０１７７】
Ｓ２０１：アクセスネットワークデバイスは、電力調整ファクタを決定する。
【０１７８】
電力調整ファクタは、サブフレームの第１の部分におけるチャネルの利用可能な送信電力とサブフレームの第２の部分におけるチャネルの利用可能な送信電力との間のオフセット値を決定するために使用される。電力調整ファクタは、端末がアップリンクサブフレームにおいてデータを送信するとき、アップリンクサブフレームにおけるデータの送信電力を調整するように特に構成される。特に、端末は、第１の電力を使用することによってアップリンクサブフレームの第１の部分においてアップリンクデータを送信し、次いで、オフセット値および第１の電力に基づく計算によって第２の電力を取得し、第２の電力を使用することによってアップリンクサブフレームの第２の部分においてアップリンクデータを送信する。
【０１７９】
特に、オフセット値は、比率値または差分値であってよい。電力調整ファクタが差分値であるとき、正または負になるようにオフセット値を制御して、第１の電力を増加または低減し、第２の電力を取得する。電力調整ファクタが比率値であるとき、１よりも大きくなるようにまたは１よりも小さくなるように電力値を制御して、第１の電力を増加または低減し、第２の電力を取得する。
【０１８０】
実装の間、電力調整ファクタはセル固有パラメータである。具体的には、電力調整ファクタはセルに基づいて設定され、したがって、電力調整ファクタはセル固有パラメータである。実装の間、ステップＳ２０１は以下のステップを含み得る。アクセスネットワークデバイスは、端末が位置するセルを決定し、アクセスネットワークデバイスは、端末が位置するセルに基づいて、対応する電力調整ファクタを決定する。
【０１８１】
Ｓ２０２：アクセスネットワークデバイスは、電力調整ファクタを端末に送信する。
【０１８２】
実装の間、Ｓ２０２は、アクセスネットワークデバイスによって、上位レイヤシグナリングまたは物理レイヤシグナリングを使用することによって、電力調整ファクタを端末に送信することを含み得る。
【０１８３】
上位レイヤシグナリングはＲＲＣシグナリングであってよく、物理レイヤシグナリングはＤＣＩシグナリングであってよい。
【０１８４】
さらに、物理レイヤシグナリングは１次コンポーネントキャリア（例えば、第２のキャリア）上で送信される物理レイヤシグナリングであるか、または、物理レイヤシグナリングは２次コンポーネントキャリア（例えば、第１のキャリア）上で送信される物理レイヤシグナリングである。例えば、ＤＣＩシグナリングは１次コンポーネントキャリア上で送信されるＤＣＩシグナリングであるか、または、ＤＣＩシグナリングは２次コンポーネントキャリア上で送信されるＤＣＩシグナリングである。
【０１８５】
Ｓ２０３：端末は、アクセスネットワークデバイスによって送信された電力調整ファクタを受信する。
【０１８６】
実装の間、Ｓ２０３は、端末によって、上位レイヤシグナリングまたは物理レイヤシグナリングを使用することによって、アクセスネットワークデバイスによって送信された電力調整ファクタを受信することを含み得る。
【０１８７】
Ｓ２０４：端末は、電力調整ファクタおよびアップリンクサブフレームの第１の部分におけるチャネル上の端末の送信電力に基づいてアップリンクサブフレームの第２の部分におけるチャネル上の端末の送信電力を取得し、アップリンクサブフレームは第１の部分および第２の部分を含み、第２の部分は第１の部分の後に続く。
【０１８８】
電力調整ファクタに基づいて２つの部分の送信電力を決定した後、端末は、２つの決定された送信電力を使用することによってアップリンクサブフレームを送信する。アップリンクサブフレームの２つの部分はシンボルまたはタイムスロットごとの分割によって取得されることがあり、これは本明細書では限定されない。
【０１８９】
本出願では、データ送信の間、アップリンクサブフレームの２つの部分におけるチャネルの送信電力は、電力調整ファクタを使用することによって調整され、その結果、アップリンクサブフレームの２つの部分におけるチャネルの送信電力は、リアルタイムで調整されることができ、アップリンクサブフレームの２つの部分におけるチャネルの電力割振りおよび電力効率は、最大化されることができる。
【０１９０】
以下は、本発明の装置実施形態である。装置実施形態において特に説明されない詳細については、上記の対応する方法実施形態を参照されたい。
【０１９１】
図８は、本出願の実施形態による通信装置のブロック図である。通信装置は、専用ハードウェア回路またはソフトウェアとハードウェアの組合せを使用することによって、端末の全部または一部として実装され得る。通信装置は、決定ユニット８０１、受信ユニット８０２、および処理ユニット８０３を含む。
決定ユニット８０１は、第１の初期送信電力および第２の初期送信電力を決定するように構成される。第１の初期送信電力は、Ｍ個の第１のサブフレームの各々において送信され、第１のキャリアによって搬送されるチャネルの初期送信電力を含む。第２の初期送信電力は、第２のサブフレームにおいて送信され、第２のキャリアによって搬送されるチャネルの初期送信電力である。
受信ユニット８０２は、第１のキャリアによって搬送されるチャネルのものであり、アクセスネットワークデバイスによって送信される最小保証電力情報を受信するように構成される。
処理ユニット８０３は、第１の初期送信電力のいずれかおよび第２の初期送信電力の合計が端末の最大送信電力よりも大きいとき、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて、および第１のキャリアによって搬送されるチャネルの最小保証電力情報に基づいて取得するように構成される。
第２のキャリア上の第２のサブフレームは、第１のキャリア上のＮ個の第１のサブフレームと重複し、Ｍ個の第１のサブフレームは、Ｎ個の第１のサブフレームのうちの最初のＭ個の第１のサブフレームであり、ＮはＭよりも大きく、ＭおよびＮは正の整数である。
【０１９２】
処理ユニット８０３は、
第１のキャリアによって搬送されるチャネルの最小保証電力情報に基づいて最小保証電力を取得し、
Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力を、Ｍ個の第１のサブフレームにおいて送信され、第１のキャリアによって搬送されるチャネルと、第２のサブフレームにおいて送信され、第２のキャリアによって搬送されるチャネルとの間の優先順位に基づいて取得し、
最小保証電力と第１の利用可能な送信電力および第２の利用可能な送信電力のうちの少なくとも１つとに基づいて、Ｎ個の第１のサブフレームにおいて送信され、第１のキャリアによって搬送されるチャネルのための利用可能な送信電力、および第２のサブフレームにおいて送信され、第２のキャリアによって搬送されるチャネルの利用可能な送信電力のうちの少なくとも１つを決定する
ように構成される。
【０１９３】
任意選択で、処理ユニット８０３は、
優先順位に基づいて第１の初期送信電力および第２の初期送信電力を低減して、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力をそれぞれ取得することであって、Ｎ個の第１のサブフレームにおいて送信され、第１のキャリアによって搬送されるチャネルのための第１の利用可能な送信電力、および第２のサブフレームにおいて送信され、第２のキャリアによって搬送されるチャネルの第２の利用可能な送信電力の合計は、最大送信電力以下である、取得すること
を行うように構成される。
【０１９４】
本発明のこの実施形態では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【０１９５】
チャネルタイプ間の優先順位は、以下のうちの少なくとも１つを含む。
【０１９６】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびＳＲＳが共存するとき、ＳＲＳは最も低い優先度を有する。
【０１９７】
任意選択で、受信ユニット８０２は、
第１のキャリアまたは第２のキャリア上でアクセスネットワークデバイスによって送信された上位レイヤシグナリングまたは物理レイヤシグナリングを受信することであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、受信すること
を行うようにさらに構成される。
【０１９８】
任意選択で、受信ユニット８０２は、
第１のキャリアまたは第２のキャリア上でアクセスネットワークデバイスによって送信された第１のシグナリングを受信することであって、第１のシグナリングは、第１のキャリアによって搬送されるチャネルの最小保証電力情報を搬送する上位レイヤシグナリングまたは物理レイヤシグナリングである、受信すること
を行うように構成される。
【０１９９】
第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【０２００】
関連する詳細については、図６において説明される方法実施形態を参照されたい。
【０２０１】
受信ユニット８０２は、受信機によって、または受信機と協調するプロセッサによって実装され得ることに留意されたい。決定ユニット８０１および処理ユニット８０３は各々、プロセッサによって、またはメモリ内のプログラム命令を実行するプロセッサによって実装され得る。
【０２０２】
図９は、本出願の別の実施形態による通信装置のブロック図である。通信装置は、専用ハードウェア回路またはソフトウェアとハードウェアの組合せを使用することによって、アクセスネットワークデバイスの全部または一部として実装され得る。通信装置は、決定ユニット９０１および送信ユニット９０２を含む。決定ユニット９０１は、第１のキャリアによって搬送されるチャネルの最小保証電力情報を決定するように構成される。送信ユニット９０２は、第１のキャリアによって搬送されるチャネルの最小保証電力情報を端末に送信するように構成される。
【０２０３】
特に、送信ユニット９０２は、
第１のキャリアまたは第２のキャリア上で上位レイヤシグナリングまたは物理レイヤシグナリングを端末に送信することであって、上位レイヤシグナリングまたは物理レイヤシグナリングは、第１のキャリアによって搬送されるチャネルの最小保証電力情報を含む、送信すること
を行うように構成される。
【０２０４】
第１のキャリア上で送信される第１のシグナリングの送信サブフレームは、第２のキャリア上で送信される第２のシグナリングの送信サブフレームと重複し、第２のシグナリングは、第２のサブフレームにおいて第２のキャリアによって搬送されるチャネルの電力割振り情報を搬送する。
【０２０５】
任意選択で、送信ユニット９０２は、
第１のキャリアまたは第２のキャリア上で上位レイヤシグナリングまたは物理レイヤシグナリングを端末に送信することであって、上位レイヤシグナリングまたは物理レイヤシグナリングは、優先順位ルールを含み、優先順位ルールは、Ｍ個の第１のサブフレームにおいて送信され、第１のキャリアによって搬送されるチャネルと、第２のサブフレームにおいて送信され、第２のキャリアによって搬送されるチャネルとの間の優先順位を決定するために使用される、送信すること
を行うようにさらに構成される。
【０２０６】
本発明のこの実施形態では、Ｍ個の第１のサブフレームにおいて送信され、第１のキャリアによって搬送されるチャネルと、第２のサブフレームにおいて送信され、第２のキャリアによって搬送されるチャネルとの間の優先順位は、チャネルタイプ間の優先順位、チャネルによって搬送されるＵＣＩ間の優先順位、およびチャネルに対応するキャリア間の優先順位のうちの少なくとも１つを含む。
【０２０７】
チャネルタイプ間の優先順位は、以下のうちの少なくとも１つを含む。
【０２０８】
物理ランダムアクセスチャネルＰＲＡＣＨがあるとき、ＰＲＡＣＨは最も高い優先度を有する、
物理アップリンク制御チャネルＰＵＣＣＨおよび物理アップリンク共有チャネルＰＵＳＣＨが共存するとき、ＰＵＣＣＨの優先度は、ＰＵＳＣＨの優先度よりも高い、もしくは、ＰＵＣＣＨの優先度は、ＵＣＩを搬送しないＰＵＳＣＨの優先度よりも高く、ＵＣＩを搬送するＰＵＳＣＨの優先度と同じである、
アップリンク制御情報ＵＣＩを搬送するＰＵＳＣＨおよびＵＣＩを搬送しないＰＵＳＣＨが共存するとき、ＵＣＩを搬送するＰＵＳＣＨの優先度は、ＵＣＩを搬送しないＰＵＳＣＨの優先度よりも高い、または
ＰＲＡＣＨ、ＰＵＣＣＨ、ＰＵＳＣＨ、およびＳＲＳが共存するとき、ＳＲＳは最も低い優先度を有する。
【０２０９】
関連する詳細については、図６において説明される方法実施形態を参照されたい。
【０２１０】
決定ユニット９０１は、プロセッサによって、またはメモリ内のプログラム命令を実行するプロセッサによって実装され得ることに留意されたい。送信ユニット９０２は、送信機によって、または送信機と協調するプロセッサによって実装され得る。
【０２１１】
図１０は、本出願の実施形態による通信装置のブロック図である。通信装置は、専用ハードウェア回路またはソフトウェアとハードウェアの組合せを使用することによって、端末の全部または一部として実装され得る。通信装置は、受信ユニット１００１および処理ユニット１００２を含む。
受信ユニット１００１は、アクセスネットワークデバイスによって送信された電力調整ファクタを受信するように構成される。処理ユニット１００２は、電力調整ファクタおよびサブフレームの第１の部分におけるチャネルの利用可能な送信電力に基づいてサブフレームの第２の部分におけるチャネルの利用可能な送信電力を取得するように構成される。
サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【０２１２】
実装では、受信ユニット１００１は、
上位レイヤシグナリングまたは物理レイヤシグナリングを使用することによって、アクセスネットワークデバイスによって送信された電力調整ファクタを受信する
ように構成される。
【０２１３】
電力調整ファクタはセル固有パラメータである。
【０２１４】
関連する詳細については、図７において説明される方法実施形態を参照されたい。
【０２１５】
受信ユニット１００１は、受信機によって、または受信機と協調するプロセッサによって実装され得ることに留意されたい。処理ユニット１００２は、プロセッサによって、またはメモリ内のプログラム命令を実行するプロセッサによって実装され得る。
【０２１６】
図１１は、本出願の実施形態による通信装置のブロック図である。通信装置は、専用ハードウェア回路またはソフトウェアとハードウェアの組合せを使用することによって、アクセスネットワークデバイスの全部または一部として実装され得る。通信装置は、決定ユニット１１０１および送信ユニット１１０２を含む。決定ユニット１１０１は、電力調整ファクタを決定するように構成される。送信ユニット１１０２は、電力調整ファクタを端末に送信することであって、電力調整ファクタは、電力調整ファクタおよびサブフレームの第１の部分におけるチャネルの利用可能な送信電力に基づいてサブフレームの第２の部分におけるチャネルの利用可能な送信電力を取得するために端末によって使用される、送信することを行うように構成される。サブフレームは第１の部分および第２の部分を含み、第２の部分は第１の部分の後に続く。電力調整ファクタは、サブフレームの第１の部分におけるチャネルの利用可能な送信電力とサブフレームの第２の部分におけるチャネルの利用可能な送信電力との間のオフセット値を決定するために使用される。
【０２１７】
実装では、送信ユニット１１０２は、
上位レイヤシグナリングまたは物理レイヤシグナリングを使用することによって、電力調整ファクタを端末に送信する
ように構成される。
【０２１８】
電力調整ファクタはセル固有パラメータである。
【０２１９】
関連する詳細については、図７において説明される方法実施形態を参照されたい。
【０２２０】
決定ユニット１１０１は、プロセッサによって、またはメモリ内のプログラム命令を実行するプロセッサによって実装され得ることに留意されたい。送信ユニット１１０２は、送信機によって、または送信機と協調するプロセッサによって実装され得る。
【０２２１】
図１２は、本出願の実施形態による通信チップの構造図である。通信チップは、上記のアクセスネットワークデバイスまたは端末などのモバイル通信システムデバイスに適用される。通信チップは、プロセッサ１２１０、メモリ１２２０、および通信インターフェース１２３０を含む。プロセッサ１２１０は、バスを使用することによって、メモリ１２２０と通信インターフェース１２３０の両方に接続される。
【０２２２】
通信インターフェース１２３０は、別の通信デバイスとの通信を実装するように構成される。
【０２２３】
プロセッサ１２１０は、１つまたは複数の処理コアを含む。プロセッサ１２１０は、オペレーティングシステムまたはアプリケーションプログラムモジュールを実行する。
【０２２４】
任意選択で、メモリ１２２０は、少なくとも１つの機能によって必要とされるオペレーティングシステム１２２２およびアプリケーションプログラムモジュール１２２４を記憶し得る。任意選択で、アプリケーションプログラムモジュール１２２４は、受信モジュール１２２４ａ、処理モジュール１２２４ｂ、および送信モジュール１２２４ｃを含む。受信モジュール１２２４ａは、受信関連ステップを実装するように構成される。処理モジュール１２２４ｂは、計算関連または処理関連ステップを実装するように構成される。送信モジュール１２２４ｃは、送信関連ステップを実装するように構成される。
【０２２５】
加えて、メモリ１２２０は、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク、または光ディスクなどの、任意のタイプの揮発性もしくは不揮発性記憶デバイスまたはそれらの組合せによって実装され得る。
【０２２６】
図１２に示されている構造は、通信チップに対するいかなる限定ともならず、通信チップは、図に示されているものよりも多いもしくは少ない構成要素、いくつかの構成要素の組合せ、または別様に配設された構成要素を含み得ることを当業者は理解し得る。
【０２２７】
実施形態のステップのすべてまたはいくつかはハードウェアまたは関連するハードウェアに命令するプログラムによって実装され得ることを当業者は理解し得る。プログラムはコンピュータ可読記憶媒体に記憶され得る。記憶媒体は、読取り専用メモリ、磁気ディスク、または光ディスクを含み得る。
【０２２８】
上記の説明は本出願の任意選択の実施形態にすぎず、本出願を限定するものではない。本出願の原理から逸脱することなく行われるいかなる修正、等価な置換、または改善も、本出願の保護範囲内に入るものとする。
【国際調査報告】
2019536351.tif 000016
2019536351.tif 000017
2019536351.tif 000018
2019536351.tif 000019
2019536351.tif 000020
2019536351.tif 000021